(57)【要約】  本願は、データ送信方法、シグナリング送信方法、装置、およびシステムを開示しており、通信分野に関する。方法は、端末によって、アクセスネットワークデバイスによって送信されたダウンリンク基準信号を受信するステップと、端末によって、複数のアップリンクプリコーディングベクトルを得るために、ダウンリンク基準信号を測定するステップと、端末によって、複数のアップリンクSRSリソース上でアクセスネットワークデバイスにSRSを送信するステップであって、異なるアップリンクSRSリソース上で送信されるSRSは、異なるアップリンクプリコーディングベクトルを使用してプリコーディングされる、ステップと、端末によって、アクセスネットワークデバイスによって送信されたアップリンクスケジューリングシグナリングを受信するステップであって、アップリンクスケジューリングシグナリングは、少なくとも1つのアップリンクSRSリソースのリソースインデックスを示すために使用される、ステップと、端末によって、リソースインデックスに対応するアップリンクプリコーディングベクトルを使用してアップリンクデータをプリコーディングするステップと、プリコーディングされたアップリンクデータをアクセスネットワークデバイスに送信するステップとを含む。本願は、アップリンクデータの伝送パフォーマンスを改善し得る。
2019530283.tif 000002
【特許請求の範囲】
【請求項１】
データ送信装置であって、前記装置は、
アクセスネットワークデバイスによって送信されたダウンリンク基準信号を受信するように構成される、受信ユニットと、
複数のアップリンクプリコーディングベクトルを得るために、前記ダウンリンク基準信号を測定するように構成される、処理ユニットと、
サウンディング基準信号SRSを複数のアップリンクSRSリソース上で前記アクセスネットワークデバイスに送信するように構成される、送信ユニットであって、異なるアップリンクSRSリソース上で送信されるSRSは、異なるアップリンクプリコーディングベクトルを使用してプリコーディングされる、送信ユニットとを含み、
前記受信ユニットは、前記アクセスネットワークデバイスによって送信されたアップリンクスケジューリングシグナリングを受信するように構成され、前記アップリンクスケジューリングシグナリングは、前記アップリンクSRSリソースのうちの少なくとも1つのリソースインデックスを示すために使用され、
前記処理ユニットは、前記リソースインデックスに対応するアップリンクプリコーディングベクトルに従ってアップリンクデータをプリコーディングするように構成され、
前記送信ユニットは、前記プリコーディングされたアップリンクデータを前記アクセスネットワークデバイスに送信するように構成される、装置。
【請求項２】
異なるアップリンクSRSリソースは、異なるSRSポートに対応する、請求項1に記載の装置。
【請求項３】
前記アップリンクスケジューリングシグナリングは、前記アップリンクデータのために使用される変調方式および符号化率MCSを示すためにさらに使用され、前記MCSは、前記リソースインデックスに対応する前記アップリンクプリコーディングベクトルを使用してプリコーディングされた前記アップリンクデータのMCSである、請求項1に記載の装置。
【請求項４】
前記アップリンクスケジューリングシグナリングは、前記アップリンクデータのために使用されるプリコーディングスキームを示すためにさらに使用され、前記プリコーディングスキームは、開ループプリコーディングスキームまたは閉ループプリコーディングスキームである、請求項1に記載の装置。
【請求項５】
前記開ループプリコーディングスキームは、異なる時間-周波数リソース上のアップリンクデータが、順次、異なるアップリンクプリコーディングベクトルを使用してプリコーディングされるスキームであり、
前記異なる時間-周波数リソースは、異なる物理リソースブロックまたは異なるサブキャリアまたは異なる直交周波数分割多重方式OFDMシンボルを含む、請求項4に記載の装置。
【請求項６】
前記閉ループプリコーディングスキームは、特定の時間-周波数リソース上のアップリンクデータが、同一のアップリンクプリコーディングベクトルを使用してプリコーディングされるスキームである、請求項4に記載の装置。
【請求項７】
前記アップリンクスケジューリングシグナリングは、前記アップリンクデータのために使用される時間-周波数リソースを示すためにさらに使用され、
前記時間-周波数リソースは、少なくとも2つのサブバンドを含み、各サブバンド上で送信される前記アップリンクデータは、独立したリソースインデックスに対応するアップリンクプリコーディングベクトルを使用してプリコーディングされる、または、
前記時間-周波数リソースの帯域幅上で送信される前記アップリンクデータは、同一のリソースインデックスに対応するアップリンクプリコーディングベクトルを使用してプリコーディングされる、請求項1に記載の装置。
【請求項８】
前記アップリンクスケジューリングシグナリングは、前記アップリンクデータのために使用される時間-周波数リソースを示すためにさらに使用され、
前記時間-周波数リソースは、第1のサブバンドセットおよび第2のサブバンドセットを含み、
前記アップリンクスケジューリングシグナリングは、前記リソースインデックスに対応する前記アップリンクプリコーディングベクトルを使用して、前記第1のサブバンドセット上で送信されるアップリンクデータをプリコーディングするように命令するためにさらに使用され、
前記アップリンクスケジューリングシグナリングは、コードブックに基づいて決定されるアップリンクプリコーディングベクトルを使用して、前記第2のサブバンドセット上で送信されるアップリンクデータをプリコーディングするように命令するためにさらに使用される、請求項1に記載の装置。
【請求項９】
前記受信ユニットは、前記アクセスネットワークデバイスによって送信されたダウンリンク設定シグナリングを受信するように構成され、
前記ダウンリンク設定シグナリングは、前記ダウンリンク基準信号の時間-周波数リソースを設定するために使用される、または、
前記ダウンリンク設定シグナリングは、前記ダウンリンク基準信号の時間-周波数リソースおよび前記SRSのシーケンスリソースを設定するために使用される、または、
前記ダウンリンク設定シグナリングは、前記ダウンリンク基準信号の時間-周波数リソース、前記SRSのシーケンスリソース、および前記SRSのコードリソースを設定するために使用される、または、
前記ダウンリンク設定シグナリングは、前記ダウンリンク基準信号の時間-周波数リソース、前記アップリンクSRSリソース、および前記SRSのシーケンスリソースを設定するために使用される、または、
前記ダウンリンク設定シグナリングは、前記ダウンリンク基準信号の時間-周波数リソース、前記アップリンクSRSリソース、前記SRSのシーケンスリソース、および前記SRSのコードリソースを設定するために使用される、請求項1から8のいずれか一項に記載の装置。
【請求項１０】
前記ダウンリンク設定命令によって占有される時間領域リソースおよび前記ダウンリンク基準信号によって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
X1=1または2または3であり、X3=X2またはX2+1であり、n-1>X3である、請求項9に記載の装置。
【請求項１１】
前記ダウンリンク設定命令によって占有される時間領域リソース、前記ダウンリンク基準信号によって占有される時間領域リソース、および前記SRSによって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
X1=1または2または3であり、X3=X2またはX2+1であり、n-1≧X5≧X4>X3+1である、請求項9に記載の装置。
【請求項１２】
前記ダウンリンク設定命令によって占有される時間領域リソース、前記ダウンリンク基準信号によって占有される時間領域リソース、前記SRSによって占有される時間領域リソース、および前記アップリンクスケジューリングシグナリングは、同一の時間ユニットにあり、前記時間ユニットは、n個のシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
前記アップリンクスケジューリングシグナリングは、前記時間ユニットの第Y6から第Y7のシンボルを占有し、
X1=1または2または3であり、X3=X2またはX2+1であり、n-1≧X7≧X6>X5≧X4>X3+1である、請求項9に記載の装置。
【請求項１３】
前記アップリンクSRSリソースは、m個の周波数領域リソースを占有し、前記SRSは、前記m個の周波数領域リソース上で周波数ホッピング方式で送信される、請求項9から12のいずれか一項に記載の装置。
【請求項１４】
前記ダウンリンク基準信号の前記時間-周波数リソースによって占有される周波数領域帯域幅は、前記アップリンクSRSリソースによって占有される周波数領域帯域幅と同一である、請求項9から12のいずれか一項に記載の装置。
【請求項１５】
前記ダウンリンク設定命令は、前記ダウンリンク基準信号の前記時間-周波数リソースに対応する直交周波数分割多重方式OFDMシンボル位置および/または物理リソースブロックPRB位置を設定するために使用され、
前記OFDMシンボル位置は、開始シンボルインデックスおよび前記ダウンリンク基準信号によって占有されるシンボルの総数、または前記開始シンボルインデックスおよび終了シンボルインデックスを含み、
前記PRB位置は、前記ダウンリンク基準信号によって占有される、すべての伝送帯域幅上の、PRBのインデックスを含み、複数の前記PRBは、不連続的なPRBまたは連続的なPRBである、請求項9に記載の装置。
【請求項１６】
前記ダウンリンク設定命令は、前記アップリンクSRSリソースに対応する直交周波数分割多重方式OFDMシンボル位置および/または物理リソースブロックPRB位置を設定するために使用され、
前記OFDMシンボル位置は、開始シンボルインデックスおよび前記アップリンクSRSリソースに対応するシンボルの総数、または前記開始シンボルインデックスおよび終了シンボルインデックスを含み、
前記PRB位置は、前記アップリンクSRSリソースに対応する、すべての伝送帯域幅上の、PRBのインデックスを含み、前記SRSは、前記伝送帯域幅上で周波数ホッピング方式で送信され、複数の前記PRBは、不連続的なPRBまたは連続的なPRBであり、
前記SRSは、同一の伝送帯域幅、または各OFDMシンボルにおいて異なる伝送帯域幅を占有する、請求項9に記載の装置。
【請求項１７】
データ受信装置であって、前記装置は、
ダウンリンク基準信号を端末に送信するように構成される、送信ユニットと、
少なくとも1つのアップリンクSRSリソース上で前記端末によって送信されたサウンディング基準信号SRSを受信するように構成される、受信ユニットであって、異なるアップリンクSRSリソース上でSRSは、異なるアップリンクプリコーディングベクトルを使用してプリコーディングされ、前記アップリンクプリコーディングベクトルは、前記ダウンリンク基準信号を測定することによって前記端末によって得られる、受信ユニットとを含み、
前記送信ユニットは、アップリンクスケジューリングシグナリングを前記端末に送信するように構成され、前記アップリンクスケジューリングシグナリングは、前記少なくとも1つのアップリンクSRSリソースのリソースインデックスを示すために使用され、
前記受信ユニットは、前記端末によって送信されたアップリンクデータを受信するように構成され、前記アップリンクデータは、前記リソースインデックスに対応するアップリンクプリコーディングベクトルを使用してプリコーディングされたデータである、装置。
【請求項１８】
異なるアップリンクSRSリソースは、異なるSRSポートに対応する、請求項17に記載の装置。
【請求項１９】
前記アップリンクスケジューリングシグナリングは、前記アップリンクデータのために使用される変調方式および符号化率MCSを示すためにさらに使用され、前記MCSは、前記リソースインデックスに対応する前記アップリンクプリコーディングベクトルを使用してプリコーディングされた前記アップリンクデータのMCSである、請求項16に記載の装置。
【請求項２０】
前記アップリンクスケジューリングシグナリングは、前記アップリンクデータのために使用されるプリコーディングスキームを示すためにさらに使用され、前記プリコーディングスキームは、開ループプリコーディングスキームまたは閉ループプリコーディングスキームである、請求項16に記載の装置。
【請求項２１】
前記開ループプリコーディングスキームは、異なる時間-周波数リソース上のアップリンクデータが、順次、異なるアップリンクプリコーディングベクトルを使用してプリコーディングされるスキームであり、
前記異なる時間-周波数リソースは、異なる物理リソースブロックまたは異なるサブキャリアまたは異なる直交周波数分割多重方式OFDMシンボルを含む、請求項20に記載の装置。
【請求項２２】
前記閉ループプリコーディングスキームは、特定の時間-周波数リソース上のアップリンクデータが、同一のアップリンクプリコーディングベクトルを使用してプリコーディングされるスキームである、請求項20に記載の装置。
【請求項２３】
前記アップリンクスケジューリングシグナリングは、前記アップリンクデータのために使用される時間-周波数リソースを示すためにさらに使用され、
前記時間-周波数リソースは、少なくとも2つのサブバンドを含み、各サブバンド上で送信される前記アップリンクデータは、独立したリソースインデックスに対応するアップリンクプリコーディングベクトルを使用してプリコーディングされる、または、
前記時間-周波数リソースの帯域幅上で送信される前記アップリンクデータは、同一のリソースインデックスに対応するアップリンクプリコーディングベクトルを使用してプリコーディングされる、請求項17に記載の装置。
【請求項２４】
前記アップリンクスケジューリングシグナリングは、前記アップリンクデータのために使用される時間-周波数リソースを示すためにさらに使用され、
前記時間-周波数リソースは、第1のサブバンドセットおよび第2のサブバンドセットを含み、
前記アップリンクスケジューリングシグナリングは、前記リソースインデックスに対応する前記アップリンクプリコーディングベクトルを使用して、前記第1のサブバンドセット上で送信されるアップリンクデータをプリコーディングするように命令するためにさらに使用され、
前記アップリンクスケジューリングシグナリングは、コードブックに基づいて決定されるアップリンクプリコーディングベクトルを使用して、前記第2のサブバンドセット上で送信されるアップリンクデータをプリコーディングするように命令するためにさらに使用される、請求項17に記載の装置。
【請求項２５】
前記送信ユニットは、ダウンリンク設定シグナリングを前記端末に送信するように構成され、
前記ダウンリンク設定シグナリングは、前記ダウンリンク基準信号の時間-周波数リソースを設定するために使用される、または、
前記ダウンリンク設定シグナリングは、前記ダウンリンク基準信号の時間-周波数リソースおよび前記SRSのシーケンスリソースを設定するために使用される、または、
前記ダウンリンク設定シグナリングは、前記ダウンリンク基準信号の時間-周波数リソース、前記SRSのシーケンスリソース、および前記SRSのコードリソースを設定するために使用される、または、
前記ダウンリンク設定シグナリングは、前記ダウンリンク基準信号の時間-周波数リソース、前記アップリンクSRSリソース、および前記SRSのシーケンスリソースを設定するために使用される、または、
前記ダウンリンク設定シグナリングは、前記ダウンリンク基準信号の時間-周波数リソース、前記アップリンクSRSリソース、前記SRSのシーケンスリソース、および前記SRSのコードリソースを設定するために使用される、請求項17から24のいずれか一項に記載の装置。
【請求項２６】
前記ダウンリンク設定命令によって占有される時間領域リソースおよび前記ダウンリンク基準信号によって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
X1=1または2または3であり、X3=X2またはX2+1であり、n-1>X3である、請求項25に記載の装置。
【請求項２７】
前記ダウンリンク設定命令によって占有される時間領域リソース、前記ダウンリンク基準信号によって占有される時間領域リソース、および前記SRSによって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
X1=1または2または3であり、X3=X2またはX2+1であり、n-1≧X5≧X4>X3+1である、請求項25に記載の装置。
【請求項２８】
前記ダウンリンク設定命令によって占有される時間領域リソース、前記ダウンリンク基準信号によって占有される時間領域リソース、前記SRSによって占有される時間領域リソース、および前記アップリンクスケジューリングシグナリングは、同一の時間ユニットにあり、前記時間ユニットは、n個のシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
前記アップリンクスケジューリングシグナリングは、前記時間ユニットの第Y6から第Y7のシンボルを占有し、
X1=1または2または3であり、X3=X2またはX2+1であり、n-1≧X7≧X6>X5≧X4>X3+1である、請求項25に記載の装置。
【請求項２９】
前記アップリンクSRSリソースは、m個の周波数領域リソースを占有し、前記SRSは、前記m個の周波数領域リソース上で周波数ホッピング方式で送信される、請求項25から28のいずれか一項に記載の装置。
【請求項３０】
前記ダウンリンク基準信号の前記時間-周波数リソースによって占有される周波数領域帯域幅は、前記アップリンクSRSリソースによって占有される周波数領域帯域幅と同一である、請求項25から28のいずれか一項に記載の装置。
【請求項３１】
前記ダウンリンク設定命令は、前記ダウンリンク基準信号の前記時間-周波数リソースに対応する直交周波数分割多重方式OFDMシンボル位置および/または物理リソースブロックPRB位置を設定するために使用され、
前記OFDMシンボル位置は、開始シンボルインデックスおよび前記ダウンリンク基準信号によって占有されるシンボルの総数、または前記開始シンボルインデックスおよび終了シンボルインデックスを含み、
前記PRB位置は、前記ダウンリンク基準信号によって占有される、すべての伝送帯域幅上の、PRBのインデックスを含み、複数の前記PRBは、不連続的なPRBまたは連続的なPRBである、請求項25に記載の装置。
【請求項３２】
前記ダウンリンク設定命令は、前記アップリンクSRSリソースに対応する直交周波数分割多重方式OFDMシンボル位置および/または物理リソースブロックPRB位置を設定するために使用され、
前記OFDMシンボル位置は、開始シンボルインデックスおよび前記アップリンクSRSリソースに対応するシンボルの総数、または前記開始シンボルインデックスおよび終了シンボルインデックスを含み、
前記PRB位置は、前記アップリンクSRSリソースに対応する、すべての伝送帯域幅上の、PRBのインデックスを含み、前記SRSは、前記伝送帯域幅上で周波数ホッピング方式で送信され、複数の前記PRBは、不連続的なPRBまたは連続的なPRBであり、
前記SRSは、同一の伝送帯域幅、または各OFDMシンボルにおいて異なる伝送帯域幅を占有する、請求項25に記載の装置。
【請求項３３】
データ送信方法であって、前記方法は、
端末によって、アクセスネットワークデバイスによって送信されたダウンリンク基準信号を受信するステップと、
前記端末によって、複数のアップリンクプリコーディングベクトルを得るために、前記ダウンリンク基準信号を測定するステップと、
前記端末によって、複数のアップリンクSRSリソース上で前記アクセスネットワークデバイスにサウンディング基準信号SRSを送信するステップであって、異なるアップリンクSRSリソース上で送信されるSRSは、異なるアップリンクプリコーディングベクトルを使用してプリコーディングされる、ステップと、
前記端末によって、前記アクセスネットワークデバイスによって送信されたアップリンクスケジューリングシグナリングを受信するステップであって、前記アップリンクスケジューリングシグナリングは、少なくとも1つのアップリンクSRSリソースのリソースインデックスを示すために使用される、ステップと、
前記端末によって、前記リソースインデックスに対応するアップリンクプリコーディングベクトルを使用してアップリンクデータをプリコーディングするステップと、前記プリコーディングされたアップリンクデータを前記アクセスネットワークデバイスに送信するステップとを含む、方法。
【請求項３４】
異なるアップリンクSRSリソースは、異なるSRSポートに対応する、請求項33に記載の方法。
【請求項３５】
前記アップリンクスケジューリングシグナリングは、前記アップリンクデータのために使用される変調方式および符号化率MCSを示すためにさらに使用され、前記MCSは、前記リソースインデックスに対応する前記アップリンクプリコーディングベクトルを使用してプリコーディングされた前記アップリンクデータのMCSである、請求項33に記載の方法。
【請求項３６】
前記アップリンクスケジューリングシグナリングは、前記アップリンクデータのために使用されるプリコーディングスキームを示すためにさらに使用され、前記プリコーディングスキームは、開ループプリコーディングスキームまたは閉ループプリコーディングスキームである、請求項33に記載の方法。
【請求項３７】
前記開ループプリコーディングスキームは、異なる時間-周波数リソース上のアップリンクデータが、順次、異なるアップリンクプリコーディングベクトルを使用してプリコーディングされるスキームであり、
前記異なる時間-周波数リソースは、異なる物理リソースブロックまたは異なるサブキャリアまたは異なる直交周波数分割多重方式OFDMシンボルを含む、請求項36に記載の方法。
【請求項３８】
前記閉ループプリコーディングスキームは、特定の時間-周波数リソース上のアップリンクデータが、同一のアップリンクプリコーディングベクトルを使用してプリコーディングされるスキームである、請求項36に記載の方法。
【請求項３９】
前記アップリンクスケジューリングシグナリングは、前記アップリンクデータのために使用される時間-周波数リソースを示すためにさらに使用され、
前記時間-周波数リソースは、少なくとも2つのサブバンドを含み、各サブバンド上で送信される前記アップリンクデータは、独立したリソースインデックスに対応するアップリンクプリコーディングベクトルを使用してプリコーディングされる、または、
前記時間-周波数リソースの帯域幅上で送信される前記アップリンクデータは、同一のリソースインデックスに対応するアップリンクプリコーディングベクトルを使用してプリコーディングされる、請求項33に記載の方法。
【請求項４０】
前記アップリンクスケジューリングシグナリングは、前記アップリンクデータのために使用される時間-周波数リソースを示すためにさらに使用され、
前記時間-周波数リソースは、第1のサブバンドセットおよび第2のサブバンドセットを含み、
前記アップリンクスケジューリングシグナリングは、前記リソースインデックスに対応する前記アップリンクプリコーディングベクトルを使用して、前記第1のサブバンドセット上で送信されるアップリンクデータをプリコーディングするように命令するためにさらに使用され、
前記アップリンクスケジューリングシグナリングは、コードブックに基づいて決定されるアップリンクプリコーディングベクトルを使用して、前記第2のサブバンドセット上で送信されるアップリンクデータをプリコーディングするように命令するためにさらに使用される、請求項33に記載の方法。
【請求項４１】
前記端末は、前記アクセスネットワークデバイスによって送信されたダウンリンク設定シグナリングを受信し、
前記ダウンリンク設定シグナリングは、前記ダウンリンク基準信号の時間-周波数リソースを設定するために使用される、または、
前記ダウンリンク設定シグナリングは、前記ダウンリンク基準信号の時間-周波数リソースおよび前記SRSのシーケンスリソースを設定するために使用される、または、
前記ダウンリンク設定シグナリングは、前記ダウンリンク基準信号の時間-周波数リソース、前記SRSのシーケンスリソース、および前記SRSのコードリソースを設定するために使用される、または、
前記ダウンリンク設定シグナリングは、前記ダウンリンク基準信号の時間-周波数リソース、前記アップリンクSRSリソース、および前記SRSのシーケンスリソースを設定するために使用される、または、
前記ダウンリンク設定シグナリングは、前記ダウンリンク基準信号の時間-周波数リソース、前記アップリンクSRSリソース、前記SRSのシーケンスリソース、および前記SRSのコードリソースを設定するために使用される、請求項33から40のいずれか一項に記載の方法。
【請求項４２】
前記ダウンリンク設定命令によって占有される時間領域リソースおよび前記ダウンリンク基準信号によって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
X1=1または2または3であり、X3=X2またはX2+1であり、n-1>X3である、請求項41に記載の方法。
【請求項４３】
前記ダウンリンク設定命令によって占有される時間領域リソース、前記ダウンリンク基準信号によって占有される時間領域リソース、および前記SRSによって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
X1=1または2または3であり、X3=X2またはX2+1であり、n-1≧X5≧X4>X3+1である、請求項41に記載の方法。
【請求項４４】
前記ダウンリンク設定命令によって占有される時間領域リソース、前記ダウンリンク基準信号によって占有される時間領域リソース、前記SRSによって占有される時間領域リソース、および前記アップリンクスケジューリングシグナリングは、同一の時間ユニットにあり、前記時間ユニットは、n個のシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
前記アップリンクスケジューリングシグナリングは、前記時間ユニットの第Y6から第Y7のシンボルを占有し、
X1=1または2または3であり、X3=X2またはX2+1であり、n-1≧X7≧X6>X5≧X4>X3+1である、請求項41に記載の方法。
【請求項４５】
前記アップリンクSRSリソースは、m個の周波数領域リソースを占有し、前記SRSは、前記m個の周波数領域リソース上で周波数ホッピング方式で送信される、請求項41から44のいずれか一項に記載の方法。
【請求項４６】
前記ダウンリンク基準信号の前記時間-周波数リソースによって占有される周波数領域帯域幅は、前記アップリンクSRSリソースによって占有される周波数領域帯域幅と同一である、請求項41から44のいずれか一項に記載の方法。
【請求項４７】
前記ダウンリンク設定命令は、前記ダウンリンク基準信号の前記時間-周波数リソースに対応する直交周波数分割多重方式OFDMシンボル位置および/または物理リソースブロックPRB位置を設定するために使用され、
前記OFDMシンボル位置は、開始シンボルインデックスおよび前記ダウンリンク基準信号によって占有されるシンボルの総数、または前記開始シンボルインデックスおよび終了シンボルインデックスを含み、
前記PRB位置は、前記ダウンリンク基準信号によって占有される、すべての伝送帯域幅上の、PRBのインデックスを含み、複数の前記PRBは、不連続的なPRBまたは連続的なPRBである、請求項41に記載の方法。
【請求項４８】
前記ダウンリンク設定命令は、前記アップリンクSRSリソースに対応する直交周波数分割多重方式OFDMシンボル位置および/または物理リソースブロックPRB位置を設定するために使用され、
前記OFDMシンボル位置は、開始シンボルインデックスおよび前記アップリンクSRSリソースに対応するシンボルの総数、または前記開始シンボルインデックスおよび終了シンボルインデックスを含み、
前記PRB位置は、前記アップリンクSRSリソースに対応する、すべての伝送帯域幅上の、PRBのインデックスを含み、前記SRSは、前記伝送帯域幅上で周波数ホッピング方式で送信され、複数の前記PRBは、不連続的なPRBまたは連続的なPRBであり、
前記SRSは、同一の伝送帯域幅、または各OFDMシンボルにおいて異なる伝送帯域幅を占有する、請求項41に記載の方法。
【請求項４９】
アップリンクデータ受信方法であって、前記方法は、
アクセスネットワークデバイスによって、端末にダウンリンク基準信号を送信するステップと、
前記アクセスネットワークデバイスによって、少なくとも1つのアップリンクSRSリソース上で前記端末によって送信されたサウンディング基準信号SRSを受信するステップであって、異なるアップリンクSRSリソース上でSRSは、異なるアップリンクプリコーディングベクトルを使用してプリコーディングされ、前記アップリンクプリコーディングベクトルは、前記ダウンリンク基準信号を測定することによって前記端末によって得られる、ステップと、
前記アクセスネットワークデバイスによって、前記端末にアップリンクスケジューリングシグナリングを送信するステップであって、前記アップリンクスケジューリングシグナリングは、前記少なくとも1つのアップリンクSRSリソースのリソースインデックスを示すために使用される、ステップと、
前記アクセスネットワークデバイスによって、前記端末によって送信されたアップリンクデータを受信するステップであって、前記アップリンクデータは、前記リソースインデックスに対応するアップリンクプリコーディングベクトルを使用してプリコーディングされたデータである、ステップとを含む、方法。
【請求項５０】
異なるアップリンクSRSリソースは、異なるSRSポートに対応する、請求項49に記載の方法。
【請求項５１】
前記アップリンクスケジューリングシグナリングは、前記アップリンクデータのために使用される変調方式および符号化率MCSを示すためにさらに使用され、前記MCSは、前記リソースインデックスに対応する前記アップリンクプリコーディングベクトルを使用してプリコーディングされた前記アップリンクデータのMCSである、請求項49に記載の方法。
【請求項５２】
前記アップリンクスケジューリングシグナリングは、前記アップリンクデータのために使用されるプリコーディングスキームを示すためにさらに使用され、前記プリコーディングスキームは、開ループプリコーディングスキームまたは閉ループプリコーディングスキームである、請求項49に記載の方法。
【請求項５３】
前記開ループプリコーディングスキームは、異なる時間-周波数リソース上のアップリンクデータが、順次、異なるアップリンクプリコーディングベクトルを使用してプリコーディングされるスキームであり、
前記異なる時間-周波数リソースは、異なる物理リソースブロックまたは異なるサブキャリアまたは異なる直交周波数分割多重方式OFDMシンボルを含む、請求項52に記載の方法。
【請求項５４】
前記閉ループプリコーディングスキームは、特定の時間-周波数リソース上のアップリンクデータが、同一のアップリンクプリコーディングベクトルを使用してプリコーディングされるスキームである、請求項52に記載の方法。
【請求項５５】
前記アップリンクスケジューリングシグナリングは、前記アップリンクデータのために使用される時間-周波数リソースを示すためにさらに使用され、
前記時間-周波数リソースは、少なくとも2つのサブバンドを含み、各サブバンド上で送信される前記アップリンクデータは、独立したリソースインデックスに対応するアップリンクプリコーディングベクトルを使用してプリコーディングされる、または、
前記時間-周波数リソースの帯域幅上で送信される前記アップリンクデータは、同一のリソースインデックスに対応するアップリンクプリコーディングベクトルを使用してプリコーディングされる、請求項49に記載の方法。
【請求項５６】
前記アップリンクスケジューリングシグナリングは、前記アップリンクデータのために使用される時間-周波数リソースを示すためにさらに使用され、
前記時間-周波数リソースは、第1のサブバンドセットおよび第2のサブバンドセットを含み、
前記アップリンクスケジューリングシグナリングは、前記リソースインデックスに対応する前記アップリンクプリコーディングベクトルを使用して、前記第1のサブバンドセット上で送信されるアップリンクデータをプリコーディングするように命令するためにさらに使用され、
前記アップリンクスケジューリングシグナリングは、コードブックに基づいて決定されるアップリンクプリコーディングベクトルを使用して、前記第2のサブバンドセット上で送信されるアップリンクデータをプリコーディングするように命令するためにさらに使用される、請求項49に記載の方法。
【請求項５７】
前記アクセスネットワークデバイスは、ダウンリンク設定シグナリングを前記端末に送信し、
前記ダウンリンク設定シグナリングは、前記ダウンリンク基準信号の時間-周波数リソースを設定するために使用される、または、
前記ダウンリンク設定シグナリングは、前記ダウンリンク基準信号の時間-周波数リソースおよび前記SRSのシーケンスリソースを設定するために使用される、または、
前記ダウンリンク設定シグナリングは、前記ダウンリンク基準信号の時間-周波数リソース、前記SRSのシーケンスリソース、および前記SRSのコードリソースを設定するために使用される、または、
前記ダウンリンク設定シグナリングは、前記ダウンリンク基準信号の時間-周波数リソース、前記アップリンクSRSリソース、および前記SRSのシーケンスリソースを設定するために使用される、または、
前記ダウンリンク設定シグナリングは、前記ダウンリンク基準信号の時間-周波数リソース、前記アップリンクSRSリソース、前記SRSのシーケンスリソース、および前記SRSのコードリソースを設定するために使用される、請求項49から56のいずれか一項に記載の方法。
【請求項５８】
前記ダウンリンク設定命令によって占有される時間領域リソースおよび前記ダウンリンク基準信号によって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
X1=1または2または3であり、X3=X2またはX2+1であり、n-1>X3である、請求項57に記載の方法。
【請求項５９】
前記ダウンリンク設定命令によって占有される時間領域リソース、前記ダウンリンク基準信号によって占有される時間領域リソース、および前記SRSによって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
X1=1または2または3であり、X3=X2またはX2+1であり、n-1≧X5≧X4>X3+1である、請求項57に記載の方法。
【請求項６０】
前記ダウンリンク設定命令によって占有される時間領域リソース、前記ダウンリンク基準信号によって占有される時間領域リソース、前記SRSによって占有される時間領域リソース、および前記アップリンクスケジューリングシグナリングは、同一の時間ユニットにあり、前記時間ユニットは、n個のシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
前記SRSは、前記時間ユニットの第X4から第X5のOFDMシンボルを占有し、
前記アップリンクスケジューリングシグナリングは、前記時間ユニットの第Y6から第Y7のシンボルを占有し、
X1=1または2または3であり、X3=X2またはX2+1であり、n-1≧X7≧X6>X5≧X4>X3+1である、請求項57に記載の方法。
【請求項６１】
前記アップリンクSRSリソースは、m個の周波数領域リソースを占有し、前記SRSは、前記m個の周波数領域リソース上で周波数ホッピング方式で送信される、請求項57から60のいずれか一項に記載の方法。
【請求項６２】
前記ダウンリンク基準信号の前記時間-周波数リソースによって占有される周波数領域帯域幅は、前記アップリンクSRSリソースによって占有される周波数領域帯域幅と同一である、請求項57から60のいずれか一項に記載の方法。
【請求項６３】
前記ダウンリンク設定命令は、前記ダウンリンク基準信号の前記時間-周波数リソースに対応する直交周波数分割多重方式OFDMシンボル位置および/または物理リソースブロックPRB位置を設定するために使用され、
前記OFDMシンボル位置は、開始シンボルインデックスおよび前記ダウンリンク基準信号によって占有されるシンボルの総数、または前記開始シンボルインデックスおよび終了シンボルインデックスを含み、
前記PRB位置は、前記ダウンリンク基準信号によって占有される、すべての伝送帯域幅上の、PRBのインデックスを含み、複数の前記PRBは、不連続的なPRBまたは連続的なPRBである、請求項57に記載の方法。
【請求項６４】
前記ダウンリンク設定命令は、前記アップリンクSRSリソースに対応する直交周波数分割多重方式OFDMシンボル位置および/または物理リソースブロックPRB位置を設定するために使用され、
前記OFDMシンボル位置は、開始シンボルインデックスおよび前記アップリンクSRSリソースに対応するシンボルの総数、または前記開始シンボルインデックスおよび終了シンボルインデックスを含み、
前記PRB位置は、前記アップリンクSRSリソースに対応する、すべての伝送帯域幅上の、PRBのインデックスを含み、前記SRSは、前記伝送帯域幅上で周波数ホッピング方式で送信され、複数の前記PRBは、不連続的なPRBまたは連続的なPRBであり、
前記SRSは、同一の伝送帯域幅、または各OFDMシンボルにおいて異なる伝送帯域幅を占有する、請求項57に記載の方法。
【請求項６５】
アップリンクデータ送信システムであって、前記システムは、端末およびアクセスネットワークデバイスを含み、
前記端末は、請求項1から16のいずれか一項に記載のデータ送信装置を含み、
前記アクセスネットワークデバイスは、請求項17から32のいずれか一項に記載のデータ受信装置を含む、システム。
【請求項６６】
シグナリング受信方法であって、前記方法は、
端末によって、アクセスネットワークデバイスによって送信されたスケジューリンググラントシグナリングを受信するステップであって、前記スケジューリンググラントシグナリングは、第1レベルの制御シグナリングおよび第2レベルの制御シグナリングを含む、ステップを含み、
前記第1レベルの制御シグナリングは、M個の伝送モードにおける共通のスケジューリング情報を示すために使用され、
前記第2レベルの制御シグナリングは、前記M個の伝送モードにおける特定のスケジューリング情報を示すために使用され、
Mは、2以上の整数である、方法。
【請求項６７】
前記M個の伝送モードは、
シングルアンテナ伝送モード、送信ダイバーシチ伝送モード、コードブックベースの開ループプリコーディングスキーム、コードブックベースの閉ループプリコーディングスキーム、チャネルレシプロシティベースの開ループプリコーディングスキーム、およびチャネルレシプロシティベースの閉ループプリコーディングスキームといった、伝送モードのうちの少なくとも2つを含み、
前記コードブックベースの開ループプリコーディングスキームは、異なる時間-周波数リソース上のアップリンクデータが前記アクセスネットワークデバイスによって示されるコードブック内のプリコーディングベクトルを順次使用してプリコーディングされるスキームであり、前記コードブックベースの閉ループプリコーディングスキームは、前記アクセスネットワークデバイスによって示されるコードブック内のプリコーディング行列を使用して特定の時間-周波数リソース上のアップリンクデータがプリコーディングされるスキームであり、前記チャネルレシプロシティベースの開ループプリコーディングスキームは、異なる時間-周波数リソース上のアップリンクデータがダウンリンクチャネル測定を経て得られるプリコーディングベクトルを順次使用してプリコーディングされるスキームであり、前記チャネルレシプロシティベースの閉ループプリコーディングスキームは、ダウンリンクチャネル測定を経て得られるプリコーディングベクトルを使用して特定の時間-周波数リソース上のアップリンクデータがプリコーディングされるスキームである、請求項66に記載の方法。
【請求項６８】
前記M個の伝送モードは、
シングルアンテナ伝送モード、送信ダイバーシチ伝送モード、開ループプリコーディングスキーム、および閉ループプリコーディングスキームといった、伝送モードのうちの少なくとも2つを含む、請求項66に記載の方法。
【請求項６９】
前記第1レベルの制御シグナリングは、
第1のスケジューリングリソースインディケーション情報、および前記第2レベルの制御シグナリングの伝送モードのインディケーション情報、または、
第1のスケジューリングリソースインディケーション情報、前記第2レベルの制御シグナリングの伝送モードのインディケーション情報、および第1のMSC、または、
第1のスケジューリングリソースインディケーション情報、前記第2レベルの制御シグナリングの伝送モードのインディケーション情報、第1のMSC、および復調パイロットポート情報、または、
第1のスケジューリングリソースインディケーション情報、前記第2レベルの制御シグナリングの伝送モードのインディケーション情報、第1のMSC、および第1レベルのプリコーディング行列インディケーション情報、または、
第1のスケジューリングリソースインディケーション情報、前記第2レベルの制御シグナリングの伝送モードのインディケーション情報、および第1レベルのプリコーディング行列インディケーション情報、または、
第1のスケジューリングリソースインディケーション情報、前記第2レベルの制御シグナリングの伝送モードのインディケーション情報、第1のMSC、第1レベルのプリコーディング行列インディケーション情報、電力制御コマンド、チャネル測定トリガ情報、およびSRSリソース設定情報を含み、
前記第1のMCSは、第1のトランスポートブロックのMCS、または想定される第1の伝送モードにおけるMCSである、請求項66に記載の方法。
【請求項７０】
前記第2レベルの制御シグナリングは、
第2レベルのプリコーディング行列インディケーション情報、または、
第2のMCSおよび第2レベルのプリコーディング行列インディケーション情報、または、
第2のMCS、第2レベルのプリコーディング行列インディケーション情報、および前記復調パイロットポート情報、または、
前記第2のMCSおよび前記第2レベルのプリコーディング行列インディケーション情報、または、
第2のMCS、第2レベルのプリコーディング行列インディケーション情報、および第2のスケジューリングリソースインディケーション情報を含み、
前記第2のMCSは、第2のトランスポートブロックのMCS、または前記第2レベルの制御シグナリングの前記伝送モードにおけるものと比較した前記第1の伝送モードにおける前記MCSに対する差分MCSであり、前記第2のスケジューリングリソースインディケーション情報は、前記第1のスケジューリングリソースインディケーション情報によって示される時間-周波数リソース範囲内のリソースを示すために使用される、請求項69に記載の方法。
【請求項７１】
前記方法は、
前記端末によって、前記第1レベルの制御シグナリングおよび前記第2レベルの制御シグナリングに基づいてデータチャネルのスケジューリング情報を決定するステップをさらに含む、請求項66から70のいずれか一項に記載の方法。
【請求項７２】
前記端末によって、前記第1レベルの制御シグナリングおよび前記第2レベルの制御シグナリングに基づいてデータチャネルのスケジューリング情報を決定するステップは、
前記第1レベルの制御シグナリング内の前記第1レベルのプリコーディング行列インディケーション情報に基づいてダブルコードブック構造における第1のプリコーディング行列W1を決定するステップと、
前記第2レベルの制御シグナリング内の前記第2レベルのプリコーディング行列インディケーション情報に基づいて前記ダブルコードブック構造における第2のプリコーディング行列W2を決定するステップと、
前記第1のプリコーディング行列W1および前記第2のプリコーディング行列W2に基づいて、前記データチャネル上で送信されるデータのために使用されるプリコーディング行列を決定するステップとを含む、請求項71に記載の方法。
【請求項７３】
前記第1レベルのプリコーディング行列インディケーション情報は、ワイドバンドに対応し、前記第2レベルのプリコーディング行列インディケーション情報は、サブバンドに対応する、請求項71に記載の方法。
【請求項７４】
第1レベルのプリコーディング行列インディケーション情報は、第1レベルの制御シグナリングの次の要素における第1のプリコーディング行列インディケーション情報を受信する前に有効なままとなっているインディケーション情報であり、第2レベルのプリコーディング行列インディケーション情報は、現在のスケジューリング中に有効であるインディケーション情報である、請求項66に記載の方法。
【請求項７５】
前記第1レベルの制御シグナリングおよび前記第2レベルの制御シグナリングは、同一の時間ユニット内の異なるOFDMシンボルを占有し、
前記第1レベルの制御シグナリングは、前記時間ユニット内の最初のn個のOFDMシンボルを占有し、nは正の整数であり、
前記第2レベルの制御シグナリングは、前記時間ユニット内のデータスケジューリング帯域幅を占有する、請求項66から69のいずれか一項に記載の方法。
【請求項７６】
前記第1レベルの制御シグナリングおよび前記第2レベルの制御シグナリングは、異なる時間ユニットを占有する、請求項66から69のいずれか一項に記載の方法。
【請求項７７】
第1レベルの制御シグナリングの2つの要素は、第iの時間ユニットおよび第(i+j)の時間ユニットをそれぞれ占有し、第2レベルの制御シグナリングの少なくとも2つの要素によって占有される第(i+k)の時間ユニットが存在し、0≦k≦jであり、i、j、およびkはすべて、整数である、請求項76に記載の方法。
【請求項７８】
前記第2レベルの制御シグナリングは、前記データチャネルの前記スケジューリング情報を決定するために、前記第2レベルの制御シグナリング前に送信された最新の第1レベルの制御シグナリングと一緒に使用される、請求項71に記載の方法。
【請求項７９】
前記第1レベルの制御信号は、前記第2レベルの制御シグナリングの時間-周波数位置を示すためにさらに使用される、請求項66から69のいずれか一項に記載の方法。
【請求項８０】
前記M個の伝送モードには、前記第1レベルの制御シグナリングのみに対応する少なくとも1つの伝送モードが存在する、請求項66から69のいずれか一項に記載の方法。
【発明の詳細な説明】
【技術分野】
【０００１】
本願は、その全体が参照により本明細書に組み込まれている、2016年8月12日に中国特許庁に出願され、「DATA SENDING METHOD, SIGNALING SENDING METHOD, APPARATUS, AND SYSTEM」と題する、中国特許出願第201610821803.2号に対する優先権を主張する。
【０００２】
本願の実施形態は、通信分野に関し、詳細には、データ送信方法、シグナリング送信方法、装置、およびシステムに関する。
【背景技術】
【０００３】
ロング・ターム・エボリューション(Long Term Evolution、LTE)リリース10以後は、複数の端末ベースの送信アンテナのアップリンク伝送がサポートされている。アップリンクマルチアンテナ伝送中には、物理アップリンク共有チャネル(英語表記:Physical Uplink Shared Channel、略して、PUSCH)は、アップリンクデータ伝送中に達せられ得るデータ伝送レートおよびアップリンクスペクトル効率を改善するために、アンテナプリコーディングを経て最大4つのレイヤの空間伝送をサポートし得る。
【０００４】
マルチアンテナ伝送中には、ユーザ機器(User Equipment)は、発展型NodeB(evolutional Node B、eNBまたはe-NodeB)にサウンディング基準信号(英語表記:Sounding Reference Signal、略して、SRS)を送信し、eNBは、SRSに基づいて適切なアップリンク伝送ランクおよびプリコーディング行列を決定し、プリコーディング行列は、コードブックに基づいてeNBによって決定され、コードブックは、限られた数量のプリコーディング行列の所定のセットであり、eNBは、アップリンクスケジューリンググラントにおいてUEにアップリンク伝送ランクおよびプリコーディング行列を送信し、UEは、eNBによってフィードバックされたアップリンク伝送ランクに基づいてアップリンクデータに対してレイヤマッピングを行い、プリコーディング行列内の対応するプリコーディングベクトルを使用して、レイヤマッピング後に得られたアップリンクデータをプリコーディングし、プリコーディングされたアップリンクデータを送信する。
【０００５】
eNBがプリセットコードブックからプリコーディング行列を選択するため、プリコーディング行列が、UEのアップリンクチャネルの実際の状況に適していない場合があり、アップリンクデータの比較的低品質な伝送パフォーマンスを引き起こすことになる。
【発明の概要】
【課題を解決するための手段】
【０００６】
背景技術における問題を解決するために、本願の実施形態は、データ送信方法、シグナリング送信方法、装置、およびシステムを提供している。技術的ソリューションは、以下の通りである。
【０００７】
第1の態様により、データ送信方法を提供しており、方法は、
端末によって、アクセスネットワークデバイスによって送信されたダウンリンク基準信号を受信するステップと、
端末によって、複数のアップリンクプリコーディングベクトルを得るために、ダウンリンク基準信号を測定するステップと、
端末によって、複数のアップリンクSRSリソース上でアクセスネットワークデバイスにサウンディング基準信号SRSを送信するステップであって、異なるアップリンクSRSリソース上で送信されるSRSは、異なるアップリンクプリコーディングベクトルを使用してプリコーディングされる、ステップと、
端末によって、アクセスネットワークデバイスによって送信されたアップリンクスケジューリングシグナリングを受信するステップであって、アップリンクスケジューリングシグナリングは、少なくとも1つのアップリンクSRSリソースのリソースインデックスを示すために使用される、ステップと、
端末によって、リソースインデックスに対応するアップリンクプリコーディングベクトルを使用してアップリンクデータをプリコーディングするステップと、プリコーディングされたアップリンクデータをアクセスネットワークデバイスに送信するステップとを含む。
【０００８】
第2の態様により、アップリンクデータ受信方法を提供しており、方法は、
アクセスネットワークデバイスによって、端末にダウンリンク基準信号を送信するステップと、
アクセスネットワークデバイスによって、少なくとも1つのアップリンクSRSリソース上で端末によって送信されたサウンディング基準信号SRSを受信するステップであって、異なるアップリンクSRSリソース上でSRSは、異なるアップリンクプリコーディングベクトルを使用してプリコーディングされ、アップリンクプリコーディングベクトルは、ダウンリンク基準信号を測定することによって端末によって得られる、ステップと、
アクセスネットワークデバイスによって、端末にアップリンクスケジューリングシグナリングを送信するステップであって、アップリンクスケジューリングシグナリングは、少なくとも1つのアップリンクSRSリソースのリソースインデックスを示すために使用される、ステップと、
アクセスネットワークデバイスによって、端末によって送信されたアップリンクデータを受信するステップであって、アップリンクデータは、リソースインデックスに対応するアップリンクプリコーディングベクトルを使用してプリコーディングされたデータである、ステップとを含む。
【０００９】
第1の態様または第2の態様の可能な設計においては、異なるアップリンクSRSリソースは、異なるSRSポートに対応する。
【００１０】
第1の態様または第2の態様の可能な設計においては、アップリンクスケジューリングシグナリングは、アップリンクデータのために使用される変調方式および符号化率MCSを示すためにさらに使用され、MCSは、リソースインデックスに対応するアップリンクプリコーディングベクトルを使用してプリコーディングされたアップリンクデータのMCSである。
【００１１】
第1の態様または第2の態様の可能な設計においては、アップリンクスケジューリングシグナリングは、アップリンクデータのために使用されるプリコーディングスキームを示すためにさらに使用され、プリコーディングスキームは、開ループプリコーディングスキームまたは閉ループプリコーディングスキームである。
【００１２】
第1の態様または第2の態様の可能な設計においては、開ループプリコーディングスキームは、異なる時間-周波数リソース上のアップリンクデータが、順次、異なるアップリンクプリコーディングベクトルを使用してプリコーディングされるスキームであり、
異なる時間-周波数リソースは、異なる物理リソースブロックまたは異なるサブキャリアまたは異なる直交周波数分割多重方式OFDMシンボルを含む。
【００１３】
第1の態様または第2の態様の可能な設計においては、閉ループプリコーディングスキームは、特定の時間-周波数リソース上のアップリンクデータが、同一のアップリンクプリコーディングベクトルを使用してプリコーディングされるスキームである。
【００１４】
第1の態様または第2の態様の可能な設計においては、アップリンクスケジューリングシグナリングは、アップリンクデータのために使用される時間-周波数リソースを示すためにさらに使用され、
時間-周波数リソースは、少なくとも2つのサブバンドを含み、各サブバンド上で送信されるアップリンクデータは、独立したリソースインデックスに対応するアップリンクプリコーディングベクトルを使用してプリコーディングされる、または、
時間-周波数リソースの帯域幅上で送信されるアップリンクデータは、同一のリソースインデックスに対応するアップリンクプリコーディングベクトルを使用してプリコーディングされる。
【００１５】
第1の態様または第2の態様の可能な設計においては、アップリンクスケジューリングシグナリングは、アップリンクデータのために使用される時間-周波数リソースを示すためにさらに使用され、
時間-周波数リソースは、第1のサブバンドセットおよび第2のサブバンドセットを含み、
アップリンクスケジューリングシグナリングは、リソースインデックスに対応するアップリンクプリコーディングベクトルを使用して、第1のサブバンドセット上で送信されるアップリンクデータをプリコーディングするように命令するためにさらに使用され、
アップリンクスケジューリングシグナリングは、コードブックに基づいて決定されるアップリンクプリコーディングベクトルを使用して、第2のサブバンドセット上で送信されるアップリンクデータをプリコーディングするように命令するためにさらに使用される。
【００１６】
第1の態様または第2の態様の可能な設計においては、端末は、アクセスネットワークデバイスによって送信されたダウンリンク設定シグナリングを受信し、または、換言すれば、アクセスネットワークデバイスは、ダウンリンク設定シグナリングを端末に送信し、
ダウンリンク設定シグナリングは、ダウンリンク基準信号の時間-周波数リソースを設定するために使用される、または、
ダウンリンク設定シグナリングは、ダウンリンク基準信号の時間-周波数リソースおよびSRSのシーケンスリソースを設定するために使用される、または、
ダウンリンク設定シグナリングは、ダウンリンク基準信号の時間-周波数リソース、SRSのシーケンスリソース、およびSRSのコードリソースを設定するために使用される、または、
ダウンリンク設定シグナリングは、ダウンリンク基準信号の時間-周波数リソース、アップリンクSRSリソース、およびSRSのシーケンスリソースを設定するために使用される、または、
ダウンリンク設定シグナリングは、ダウンリンク基準信号の時間-周波数リソース、アップリンクSRSリソース、SRSのシーケンスリソース、およびSRSのコードリソースを設定するために使用される。
【００１７】
第1の態様または第2の態様の可能な設計においては、ダウンリンク設定命令によって占有される時間領域リソースおよびダウンリンク基準信号によって占有される時間領域リソースは、同一の時間ユニットにあり、時間ユニットは、タイムスロットまたはサブフレームまたは送信時間間隔であり、時間ユニットは、n個のOFDMシンボルを含み、
ダウンリンク設定シグナリングは、時間ユニットの第0から第X1のOFDMシンボルを占有し、
ダウンリンク基準信号は、時間ユニットの第X2から第X3のOFDMシンボルを占有し、
X1=1または2または3であり、X3=X2またはX2+1であり、n-1>X3≧X2≧1である。
【００１８】
第1の態様または第2の態様の可能な設計においては、ダウンリンク設定命令によって占有される時間領域リソース、ダウンリンク基準信号によって占有される時間領域リソース、およびSRSによって占有される時間領域リソースは、同一の時間ユニットにあり、時間ユニットは、タイムスロットまたはサブフレームまたは送信時間間隔であり、時間ユニットは、n個のOFDMシンボルを含み、
ダウンリンク設定シグナリングは、時間ユニットの第0から第X1のOFDMシンボルを占有し、
ダウンリンク基準信号は、時間ユニットの第X2から第X3のOFDMシンボルを占有し、
SRSは、時間ユニットの第X4から第X5のOFDMシンボルを占有し、
X1=1または2または3であり、X3=X2またはX2+1であり、n-1≧X5≧X4>X3+1である。
【００１９】
第1の態様または第2の態様の可能な設計においては、ダウンリンク設定命令によって占有される時間領域リソース、ダウンリンク基準信号によって占有される時間領域リソース、SRSによって占有される時間領域リソース、およびアップリンクスケジューリングシグナリングは、同一の時間ユニットにあり、時間ユニットは、n個のシンボルを含み、
ダウンリンク設定シグナリングは、時間ユニットの第0から第X1のOFDMシンボルを占有し、
ダウンリンク基準信号は、時間ユニットの第X2から第X3のOFDMシンボルを占有し、
SRSは、時間ユニットの第X4から第X5のOFDMシンボルを占有し、
アップリンクスケジューリングシグナリングは、時間ユニットの第Y6から第Y7のシンボルを占有し、
X1=1または2または3であり、X3=X2またはX2+1であり、n-1≧X7≧X6>X5≧X4>X3+1である。
【００２０】
第1の態様または第2の態様の可能な設計においては、アップリンクSRSリソースは、m個の周波数領域リソースを占有し、SRSは、m個の周波数領域リソース上で周波数ホッピング方式で送信される。
【００２１】
第1の態様または第2の態様の可能な設計においては、ダウンリンク基準信号の時間-周波数リソースによって占有される周波数領域帯域幅は、アップリンクSRSリソースによって占有される周波数領域帯域幅と同一である。
【００２２】
第1の態様または第2の態様の可能な設計においては、ダウンリンク設定命令は、ダウンリンク基準信号の時間-周波数リソースに対応する直交周波数分割多重方式OFDMシンボル位置および/または物理リソースブロックPRB位置を設定するために使用され、
OFDMシンボル位置は、開始シンボルインデックスおよびダウンリンク基準信号によって占有されるシンボルの総数、または開始シンボルインデックスおよび終了シンボルインデックスを含み、
PRB位置は、ダウンリンク基準信号によって占有される、すべての伝送帯域幅上の、PRBのインデックスを含み、複数のPRBは、不連続的なPRBまたは連続的なPRBである。
【００２３】
第1の態様または第2の態様の可能な設計においては、ダウンリンク設定命令は、アップリンクSRSリソースに対応する直交周波数分割多重方式OFDMシンボル位置および/または物理リソースブロックPRB位置を設定するために使用され、
OFDMシンボル位置は、開始シンボルインデックスおよびアップリンクSRSリソースに対応するシンボルの総数、または開始シンボルインデックスおよび終了シンボルインデックスを含み、
PRB位置は、アップリンクSRSリソースに対応する、すべての伝送帯域幅上の、PRBのインデックスを含み、SRSは、伝送帯域幅上で周波数ホッピング方式で送信され、複数のPRBは、不連続的なPRBまたは連続的なPRBであり、
SRSは、同一の伝送帯域幅、または各OFDMシンボルにおいて異なる伝送帯域幅を占有する。
【００２４】
第3の態様により、シグナリング受信方法を提供しており、方法は、
端末によって、アクセスネットワークデバイスによって送信されたスケジューリンググラントシグナリングを受信するステップであって、スケジューリンググラントシグナリングは、第1レベルの制御シグナリングおよび第2レベルの制御シグナリングを含む、ステップを含み、
第1レベルの制御シグナリングは、M個の伝送モードにおける共通のスケジューリング情報を示すために使用され、
第2レベルの制御シグナリングは、M個の伝送モードにおける特定のスケジューリング情報を示すために使用され、
Mは、2以上の整数である。
【００２５】
第4の態様により、シグナリング送信方法を提供しており、方法は、
端末によって、アクセスネットワークデバイスによって送信されたスケジューリンググラントシグナリングを受信するステップであって、スケジューリンググラントシグナリングは、第1レベルの制御シグナリングおよび第2レベルの制御シグナリングを含む、ステップを含み、
第1レベルの制御シグナリングは、M個の伝送モードにおける共通のスケジューリング情報を示すために使用され、
第2レベルの制御シグナリングは、M個の伝送モードにおける特定のスケジューリング情報を示すために使用され、
Mは、2以上の整数である。
【００２６】
第3の態様または第4の態様の可能な設計においては、M個の伝送モードは、
シングルアンテナ伝送モード、送信ダイバーシチ伝送モード、コードブックベースの開ループプリコーディングスキーム、コードブックベースの閉ループプリコーディングスキーム、チャネルレシプロシティベースの開ループプリコーディングスキーム、およびチャネルレシプロシティベースの閉ループプリコーディングスキームといった、伝送モードのうちの少なくとも2つを含み、
コードブックベースの開ループプリコーディングスキームは、異なる時間-周波数リソース上のアップリンクデータがアクセスネットワークデバイスによって示されるコードブック内のプリコーディングベクトルを順次使用してプリコーディングされるスキームであり、コードブックベースの閉ループプリコーディングスキームは、アクセスネットワークデバイスによって示されるコードブック内のプリコーディング行列を使用して特定の時間-周波数リソース上のアップリンクデータがプリコーディングされるスキームであり、チャネルレシプロシティベースの開ループプリコーディングスキームは、異なる時間-周波数リソース上のアップリンクデータがダウンリンクチャネル測定を経て得られるプリコーディングベクトルを順次使用してプリコーディングされるスキームであり、チャネルレシプロシティベースの閉ループプリコーディングスキームは、ダウンリンクチャネル測定を経て得られるプリコーディングベクトルを使用して特定の時間-周波数リソース上のアップリンクデータがプリコーディングされるスキームである。
【００２７】
第3の態様または第4の態様の可能な設計においては、M個の伝送モードは、
シングルアンテナ伝送モード、送信ダイバーシチ伝送モード、開ループプリコーディングスキーム、および閉ループプリコーディングスキームといった、伝送モードのうちの少なくとも2つを含む。
【００２８】
第3の態様または第4の態様の可能な設計においては、第1レベルの制御シグナリングは、
第1のスケジューリングリソースインディケーション情報、および第2レベルの制御シグナリングの伝送モードのインディケーション情報、または、
第1のスケジューリングリソースインディケーション情報、第2レベルの制御シグナリングの伝送モードのインディケーション情報、および第1のMSC、または、
第1のスケジューリングリソースインディケーション情報、第2レベルの制御シグナリングの伝送モードのインディケーション情報、第1のMSC、および復調パイロットポート情報、または、
第1のスケジューリングリソースインディケーション情報、第2レベルの制御シグナリングの伝送モードのインディケーション情報、第1のMSC、および第1レベルのプリコーディング行列インディケーション情報、または、
第1のスケジューリングリソースインディケーション情報、第2レベルの制御シグナリングの伝送モードのインディケーション情報、および第1レベルのプリコーディング行列インディケーション情報、または、
第1のスケジューリングリソースインディケーション情報、第2レベルの制御シグナリングの伝送モードのインディケーション情報、第1のMSC、第1レベルのプリコーディング行列インディケーション情報、電力制御コマンド、チャネル測定トリガ情報、およびSRSリソース設定情報を含み、
第1のMCSは、第1のトランスポートブロックのMCS、または想定される第1の伝送モードにおけるMCSである。
【００２９】
第3の態様または第4の態様の可能な設計においては、第2レベルの制御シグナリングは、
第2レベルのプリコーディング行列インディケーション情報、または、
第2のMCSおよび第2レベルのプリコーディング行列インディケーション情報、または、
第2のMCS、第2レベルのプリコーディング行列インディケーション情報、および復調パイロットポート情報、または、
第2のMCSおよび第2レベルのプリコーディング行列インディケーション情報、または、
第2のMCS、第2レベルのプリコーディング行列インディケーション情報、および第2のスケジューリングリソースインディケーション情報を含み、
第2のMCSは、第2のトランスポートブロックのMCS、または第2レベルの制御シグナリングの伝送モードにおけるものと比較した第1の伝送モードにおけるMCSに対する差分MCSであり、第2のスケジューリングリソースインディケーション情報は、第1のスケジューリングリソースインディケーション情報によって示される時間-周波数リソース範囲内のリソースを示すために使用される。
【００３０】
第3の態様または第4の態様の可能な設計においては、方法は、
端末によって、第1レベルの制御シグナリングおよび第2レベルの制御シグナリングに基づいてデータチャネルのスケジューリング情報を決定するステップをさらに含む。
【００３１】
第3の態様または第4の態様の可能な設計においては、端末によって、第1レベルの制御シグナリングおよび第2レベルの制御シグナリングに基づいてデータチャネルのスケジューリング情報を決定するステップは、
第1レベルの制御シグナリング内の第1レベルのプリコーディング行列インディケーション情報に基づいてダブルコードブック構造における第1のプリコーディング行列W1を決定するステップと、
第2レベルの制御シグナリング内の第2レベルのプリコーディング行列インディケーション情報に基づいてダブルコードブック構造における第2のプリコーディング行列W2を決定するステップと、
第1のプリコーディング行列W1および第2のプリコーディング行列W2に基づいて、データチャネル上で送信されるデータのために使用されるプリコーディング行列を決定するステップとを含む。
【００３２】
第3の態様または第4の態様の可能な設計においては、第1レベルのプリコーディング行列インディケーション情報は、ワイドバンドに対応し、第2レベルのプリコーディング行列インディケーション情報は、サブバンドに対応する。
【００３３】
第3の態様または第4の態様の可能な設計においては、第1レベルのプリコーディング行列インディケーション情報は、第1レベルの制御シグナリングの次の要素における第1のプリコーディング行列インディケーション情報を受信する前に有効なままとなっているインディケーション情報であり、第2レベルのプリコーディング行列インディケーション情報は、現在のスケジューリング中に有効であるインディケーション情報である。
【００３４】
第3の態様または第4の態様の可能な設計においては、第1レベルの制御シグナリングおよび第2レベルの制御シグナリングは、同一の時間ユニット内の異なるOFDMシンボルを占有し、
第1レベルの制御シグナリングは、時間ユニット内の最初のn個のOFDMシンボルを占有し、nは正の整数であり、
第2レベルの制御シグナリングは、時間ユニット内のデータスケジューリング帯域幅を占有する。
【００３５】
第3の態様または第4の態様の可能な設計においては、第1レベルの制御シグナリングおよび第2レベルの制御シグナリングは、異なる時間ユニットを占有する。
【００３６】
第3の態様または第4の態様の可能な設計においては、第1レベルの制御シグナリングの2つの要素は、第iの時間ユニットおよび第(i+j)の時間ユニットをそれぞれ占有し、第2レベルの制御シグナリングの少なくとも2つの要素によって占有される第(i+k)の時間ユニットが存在し、0≦k≦jであり、i、j、およびkはすべて、整数である。
【００３７】
第3の態様または第4の態様の可能な設計においては、第2レベルの制御シグナリングは、データチャネルのスケジューリング情報を決定するために、第2レベルの制御シグナリング前に送信された最新の第1レベルの制御シグナリングと一緒に使用される。
【００３８】
第3の態様または第4の態様の可能な設計においては、第1レベルの制御信号は、第2レベルの制御シグナリングの時間-周波数位置を示すためにさらに使用される。
【００３９】
第3の態様または第4の態様の可能な設計においては、M個の伝送モードには、第1レベルの制御シグナリングのみに対応する少なくとも1つの伝送モードが存在する。
【００４０】
第5の態様により、本願の実施形態は、データ送信装置を提供しており、アップリンクデータ送信は、少なくとも1つのユニットを含み、少なくとも1つのユニットは、第1の態様または第1の態様の任意の可能な設計において提供したデータ送信方法を実施するように構成される。
【００４１】
第6の態様により、本願の実施形態は、データ受信装置を提供しており、データ受信装置は、少なくとも1つのユニットを含み、少なくとも1つのユニットは、第2の態様または第2の態様の任意の可能な設計において提供したアップリンクデータ受信方法を実施するように構成される。
【００４２】
第7の態様により、本願の実施形態は、シグナリング受信装置を提供しており、シグナリング受信装置は、少なくとも1つのユニットを含み、少なくとも1つのユニットは、第3の態様または第3の態様の任意の可能な設計において提供したシグナリング受信方法を実施するように構成される。
【００４３】
第8の態様により、本願の実施形態は、シグナリング送信装置を提供しており、シグナリング送信装置は、少なくとも1つのユニットを含み、少なくとも1つのユニットは、第4の態様または第4の態様の任意の可能な設計において提供したシグナリング送信方法を実施するように構成される。
【００４４】
第9の態様により、本願の実施形態は、端末を提供しており、端末は、プロセッサおよびメモリを含み、プロセッサは、1つまたは複数の命令を記憶するように構成され、命令は、プロセッサによって実行されるように命令され、プロセッサは、第1の態様または第1の態様の任意の可能な設計において提供したデータ送信方法を実施するように構成される、または、プロセッサは、第3の態様または第3の態様の任意の可能な設計において提供したシグナリング受信方法を実施するように構成される。
【００４５】
第10の態様により、本願の実施形態は、アクセスネットワークデバイスを提供しており、アクセスネットワークデバイスは、プロセッサおよびメモリを含み、プロセッサは、1つまたは複数の命令を記憶するように構成され、命令は、プロセッサによって実行されるように命令され、プロセッサは、第2の態様または第2の態様の任意の可能な設計において提供したデータ送信方法を実施するように構成される、または、プロセッサは、第4の態様または第4の態様の任意の可能な設計において提供したシグナリング送信方法を実施するように構成される。
【００４６】
第11の態様により、本願の実施形態は、コンピュータ可読記憶媒体を提供しており、コンピュータ可読記憶媒体は、第1の態様または第1の態様の任意の可能な設計において提供したデータ送信方法を実施するために使用される実行可能プログラムを記憶する。
【００４７】
第12の態様により、本願の実施形態は、コンピュータ可読記憶媒体を提供しており、コンピュータ可読記憶媒体は、第2の態様または第2の態様の任意の可能な設計において提供したアップリンクデータ受信方法を実施するために使用される実行可能プログラムを記憶する。
【００４８】
第13の態様により、本願の実施形態は、コンピュータ可読記憶媒体を提供しており、コンピュータ可読記憶媒体は、第3の態様または第3の態様の任意の可能な設計において提供したシグナリング受信方法を実施するために使用される実行可能プログラムを記憶する。
【００４９】
第14の態様により、本願の実施形態は、コンピュータ可読記憶媒体を提供しており、コンピュータ可読記憶媒体は、第4の態様または第4の態様の任意の可能な設計において提供したシグナリング送信方法を実施するために使用される実行可能プログラムを記憶する。
【００５０】
第15の態様により、本願の実施形態は、アップリンクデータ送信システムを提供しており、アップリンクデータ送信システムは、端末およびアクセスネットワークデバイスを含み、端末は、第5の態様または第5の態様の任意の可能な設計において提供したデータ送信装置を含み、アクセスネットワークデバイスは、第6の態様または第6の態様の任意の可能な設計において提供したデータ受信装置を含む。
【００５１】
第16の態様により、本願の実施形態は、アップリンクデータ送信システムを提供しており、アップリンクデータ送信システムは、端末およびアクセスネットワークデバイスを含み、端末は、第9の態様または第9の態様の任意の可能な設計において提供した端末であり、アクセスネットワークデバイスは、第10の態様または第10の態様の任意の可能な設計において提供したアクセスネットワークデバイスである。
【００５２】
第17の態様により、本願の実施形態は、シグナリング送信システムを提供しており、アップリンクデータ送信システムは、端末およびアクセスネットワークデバイスを含み、端末は、第7の態様または第7の態様の任意の可能な設計において提供したシグナリング受信装置を含み、アクセスネットワークデバイスは、第8の態様または第8の態様の任意の可能な設計において提供したシグナリング送信装置を含む。
【００５３】
第18の態様により、本願の実施形態は、シグナリング送信システムを提供しており、アップリンクデータ送信システムは、端末およびアクセスネットワークデバイスを含み、端末は、第9の態様または第9の態様の任意の可能な設計において提供した端末であり、アクセスネットワークデバイスは、第10の態様または第10の態様の任意の可能な設計において提供したアクセスネットワークデバイスである。
【００５４】
本願の実施形態において提供した技術的ソリューションは、以下の有益な効果を有する。
【００５５】
端末にアクセスネットワークデバイスによって示されるアップリンクプリコーディングベクトルは、ダウンリンク基準信号を測定することによって端末によって得られる複数のアップリンクプリコーディングベクトルの一部である。このことが、プリセットコードブックからアクセスネットワークデバイスによって選択されたプリコーディング行列が端末のアップリンクチャネルの実際の状況に適していない場合があることよって引き起こされるアップリンクデータの比較的低品質な伝送パフォーマンスの問題を解決する。端末によって使用されるプリコーディングベクトルは、ダウンリンク基準信号を測定することによって端末によって得られるプリコーディングベクトルである。したがって、チャネルレシプロシティ原理に基づいて、プリコーディングベクトルは、端末のアップリンクチャネルの実際の状況により適したものとなり、その結果、アップリンクデータの伝送パフォーマンスを改善し得る。
【図面の簡単な説明】
【００５６】
【図１】本願の実施形態による、通信システムの概略構造的図である。
【図２】本願の実施形態による、端末の概略構造的図である。
【図３】本願の実施形態による、アクセスネットワークデバイスの概略構造的図である。
【図４】本願の実施形態による、データ送信方法の方法フローチャートである。
【図５】本願の別の実施形態による、データ送信方法の方法フローチャートである。
【図６Ａ】本願の実施形態による、開ループプリコーディングをデータに対して行う原理の概略図である。
【図６Ｂ】本願の別の実施形態による、開ループプリコーディングをデータに対して行う原理の概略図である。
【図６Ｃ】本願の別の実施形態による、閉ループプリコーディングをデータに対して行う原理の概略図である。
【図７】本願の実施形態による、同一の時間ユニット内のダウンリンク設定シグナリングおよびダウンリンク基準信号によるリソース占有の概略図である。
【図８】本願の実施形態による、同一の時間ユニット内のダウンリンク設定シグナリングおよびダウンリンク基準信号によるリソース占有の概略図である。
【図９】本願の実施形態による、同一の時間ユニット内のダウンリンク設定シグナリングおよびダウンリンク基準信号によるリソース占有の概略図である。
【図１０】本願の実施形態による、シグナリング送信方法の方法フローチャートである。
【図１１】本願の別の実施形態による、シグナリング送信方法の方法フローチャートである。
【図１２Ａ】本願の実施形態による、第1レベルの制御シグナリングおよび第2レベルの制御シグナリングによる時間シーケンス占有の概略図である。
【図１２Ｂ】本願の実施形態による、第1レベルの制御シグナリングおよび第2レベルの制御シグナリングの両方に基づいて、データチャネル内のデータのために使用されるプリコーディング行列を決定する原理の概略図である。
【図１３】本願の実施形態による、データ送信装置のブロック図である。
【図１４】本願の実施形態による、データ受信装置のブロック図である。
【発明を実施するための形態】
【００５７】
本願の目的、技術的ソリューション、および利点をより明確にするために、添付の図面を参照して詳細に本願の実施形態を以下にさらに説明する。
【００５８】
本明細書に記載の「モジュール」は、メモリに記憶されているプログラムまたは命令であり、いくつかの機能を実施し得る。本明細書に記載の「ユニット」は、論理に基づいて分割された機能的な構造である。「ユニット」は、ハードウェアのみによって実施され得る、または、ソフトウェアとハードウェアとの組合せによって実施され得る。
【００５９】
本明細書における「複数の」は、2つまたは2つより多いことを意味する。「および/または」という用語は、関連オブジェクトを説明するための関連性の関係を説明しており、3つの関係が存在し得ることを表している。例えば、Aおよび/またはBは、Aのみが存在する、AとBとの両方が存在する、およびBのみが存在するといった3つのケースを表し得る。「/」という字句は、一般的に、関連オブジェクト間の「または」の関係を示す。
【００６０】
図1は、本願の実施形態による、通信システム100の概略構造的図である。通信システム100は、LTEシステムまたは5Gのシステムであり得る。通信システム100は、少なくとも1つの端末120および少なくとも1つのアクセスネットワークデバイス140を含む。
【００６１】
端末120は、パーソナル通信サービス(PCS、Personal Communication Service)電話、コードレス電話セット、セッション・イニシエーション・プロトコル(SIP)電話、無線ローカルループ(WLL、Wireless Local Loop)ステーション、または携帯情報端末(PDA、Personal Digital Assistant)などのデバイスであり得る。端末は、システム、加入者ユニット(Subscriber Unit)、加入者ステーション(Subscriber Station)、モバイルステーション(Mobile Station)、モバイル(Mobile)、リモートステーション(Remote Station)、アクセスポイント(Access Point)、リモート端末(Remote Terminal)、アクセス端末(Access Terminal)、ユーザ端末(User Terminal)、ユーザエージェント(User Agent)、ユーザデバイス(User Device)、またはユーザ機器(User Equipment)とも称され得る。
【００６２】
端末120は、無線アクセスネットワーク(Radio Access Network、RAN)を使用して1つまたは複数のアクセスネットワークデバイス140と通信する。
【００６３】
アクセスネットワークデバイス140は、基地局であり、端末120とアクセスネットワークの残りの部分との間のルータとしての役割を果たし得る、ここで、アクセスネットワークの残りの部分は、インターネット・プロトコル(Internet Protocol、IP)ネットワークを含み得る。基地局は、エアインターフェースの特性管理をさらに調整し得る。例えば、基地局は、GSM(登録商標)またはCDMAにおいてはベーストランシーバステーション(BTS、Base Transceiver Station)であり得る、または、WCDMA(登録商標)においてはノードB(NodeB)であり得る、または、LTEにおいては発展型NodeB(eNBまたはe-NodeB、evolved NodeB)であり得る。このことは本願に限定されない。アクセスネットワークデバイス140がeNBである例を使用して以下の実施形態を説明している。
【００６４】
図2は、本願の実施形態による、端末120の概略ブロック図である。端末120は、プロセッサ21、トランシーバ22、およびメモリ23を含む。
【００６５】
プロセッサ21は、1つまたは複数の処理コアを含み、プロセッサ21は、ソフトウェアプログラムおよびモジュールを動作することによって様々な機能のアプリケーションおよび情報処理を行う。
【００６６】
トランシーバ22は、レシーバRxおよびトランスミッタTxを含み、トランシーバ22は、通信チップとしてさらに実装され得る。通信チップは、受信モジュール、送信モジュール、モデムモジュールなどを含み得るし、情報を変調および復調し無線信号を使用して情報を受信または送信するように構成される。必要に応じて、トランシーバ22は、複数のアンテナを有し、複数のアンテナを使用してマルチアンテナ送信またはマルチアンテナ受信を実施し得る。
【００６７】
メモリ23は、プロセッサ21に接続されている。
【００６８】
メモリ23は、ソフトウェアプログラムおよびモジュールを記憶するように構成され得る。メモリは、オペレーティングシステム24および少なくとも1つの機能に対応するアプリケーションプログラムモジュール25を記憶し得る。
【００６９】
アプリケーションプログラムモジュール25は、少なくとも、情報を受信するように構成される受信モジュール251、情報を処理するように構成される処理モジュール252、および情報を送信するように構成される送信モジュール253を含む。
【００７０】
受信モジュール251は、アクセスネットワークデバイスによって送信されたダウンリンク基準信号を受信するように構成される。処理モジュール252は、複数のアップリンクプリコーディングベクトルを得るために、ダウンリンク基準信号を測定するように構成される。送信モジュール253は、複数のアップリンクSRSリソース上でアクセスネットワークデバイスにサウンディング基準信号(英語表記:Sounding Reference Signal、略して、SRS)SRSを送信する、ここで、異なるアップリンクSRSリソース上で送信されるSRSは、異なるアップリンクプリコーディングベクトルを使用してプリコーディングされる。受信モジュール251は、アクセスネットワークデバイスによって送信されたアップリンクスケジューリングシグナリングを受信するように構成され、アップリンクスケジューリングシグナリングは、アップリンクSRSリソースのうちの少なくとも1つのリソースインデックスを示すために使用される。処理モジュール252は、リソースインデックスに対応するアップリンクプリコーディングベクトルを使用してアップリンクデータをプリコーディングするように構成される。送信モジュール253は、プリコーディングされたアップリンクデータをアクセスネットワークデバイスに送信するように構成される。
【００７１】
必要に応じて、プロセッサ21は、アプリケーションプログラムモジュール25内の各モジュールを実行して、図4、図5、図10、または図11に示した以下の実施形態における端末によって行われる必要があるステップを実施するように構成される。
【００７２】
加えて、メモリ23は、コンピュータ可読記憶媒体であり、スタティックランダムアクセスメモリ(SRAM)、電気的消去可能プログラマブルリードオンリーメモリ(EEPROM)、消去可能プログラマブルリードオンリーメモリ(EPROM)、プログラマブルリードオンリーメモリ(PROM)、リードオンリーメモリ(ROM)、磁気メモリ、フラッシュメモリ、または磁気ディスクもしくは光ディスクなどといった、任意のタイプの揮発性もしくは不揮発性ストレージデバイスまたはその組合せによって実施され得る。メモリ23は、少なくとも1つの命令を記憶する。プロセッサ21が少なくとも1つの命令を実行する場合には、以下の方法の実施形態における端末120に対応するステップが実施される。
【００７３】
当業者は、図2に示した端末120の構造が、アクセスネットワークデバイスに対する限定とはならず、図中に示したものより多くのまたは少ないコンポーネント、またはいくつかのコンポーネントの組合せ、または異なるように配置されたコンポーネントを含み得ることを理解されよう。
【００７４】
図3は、本願の実施形態による、アクセスネットワークデバイス140の概略ブロック図である。アクセスネットワークデバイスは、プロセッサ31、トランシーバ32、およびメモリ33を含む。
【００７５】
プロセッサ31は、1つまたは複数の処理コアを含み、プロセッサ31は、ソフトウェアプログラムおよびモジュールを動作することによって様々な機能のアプリケーションおよび情報処理を行う。
【００７６】
トランシーバ32は、レシーバRxおよびトランスミッタTxを含み、トランシーバ32は、通信チップとしてさらに実装され得る。通信チップは、受信モジュール、送信モジュール、モデムモジュールなどを含み得るし、情報を変調および復調し無線信号を使用して情報を受信または送信するように構成される。必要に応じて、トランシーバ32は、複数のアンテナを有し、複数のアンテナを使用してマルチアンテナ送信またはマルチアンテナ受信を実施し得る。
【００７７】
メモリ33は、プロセッサ31に接続されている。
【００７８】
メモリ33は、ソフトウェアプログラムおよびモジュールを記憶するように構成され得る。メモリは、オペレーティングシステム34および少なくとも1つの機能に対応するアプリケーションプログラムモジュール35を記憶し得る。
【００７９】
アプリケーションプログラムモジュール35は、少なくとも、情報を受信するように構成される受信モジュール351、情報を処理するように構成される処理モジュール352、および情報を送信するように構成される送信モジュール353を含む。
【００８０】
送信モジュール353は、ダウンリンク基準信号を端末に送信するように構成される。受信モジュール351は、少なくとも1つのアップリンクSRSリソース上で端末によって送信されたSRSを受信するように構成され、異なるアップリンクSRSリソース上で送信されるSRSは、異なるアップリンクプリコーディングベクトルを使用してプリコーディングされ、アップリンクプリコーディングベクトルは、ダウンリンク基準信号を測定することによって端末によって得られる。送信モジュール353は、アップリンクスケジューリングシグナリングを端末に送信するように構成され、アップリンクスケジューリングシグナリングは、少なくとも1つのアップリンクSRSリソースのリソースインデックスを示すために使用される。受信モジュール351は、端末によって送信されたアップリンクデータを受信するように構成され、アップリンクデータは、リソースインデックスに対応するアップリンクプリコーディングベクトルを使用してプリコーディングされたデータである。
【００８１】
必要に応じて、プロセッサ31は、アプリケーションプログラムモジュール35内の各モジュールを実行して、図4、図5、図10、または図11に示した以下の実施形態におけるアクセスネットワークデバイスによって行われる必要があるステップを実施するように構成される。
【００８２】
加えて、メモリ33は、コンピュータ可読媒体であり、スタティックランダムアクセスメモリ(SRAM)、電気的消去可能プログラマブルリードオンリーメモリ(EEPROM)、消去可能プログラマブルリードオンリーメモリ(EPROM)、プログラマブルリードオンリーメモリ(PROM)、リードオンリーメモリ(ROM)、磁気メモリ、フラッシュメモリ、または磁気ディスクもしくは光ディスクといった、任意のタイプの揮発性もしくは不揮発性ストレージデバイスまたはその組合せによって実施され得る。メモリ33は、少なくとも1つの命令を記憶する。プロセッサ31が少なくとも1つの命令を実行する場合には、以下の方法の実施形態におけるアクセスネットワークデバイス140に対応するステップが実施される。
【００８３】
当業者は、図3に示したアクセスネットワークデバイス140の構造が、アクセスネットワークデバイスに対する限定とはならず、図中に示したものより多くのまたは少ないコンポーネント、またはいくつかのコンポーネントの組合せ、または異なるように配置されたコンポーネントを含み得ることを理解されよう。
【００８４】
図4は、本願の実施形態による、データ送信方法のフローチャートである。データ送信方法が図1に示した通信システムに適用される例を使用して本実施形態を説明する。方法は、以下のステップを含む。
【００８５】
ステップ401: アクセスネットワークデバイスが、ダウンリンク基準信号を端末に送信する。
【００８６】
必要に応じて、ダウンリンク基準信号は、セル固有基準信号(Cell-specific Reference Signal、CRS)、または復調基準信号(Demodulation Reference Signal、DM-RS)、またはチャネル状態情報基準信号(Channel-State Information Reference Signal、CSI-RS)、またはダウンリンクチャネル推定ために使用され得る別の基準信号である。
【００８７】
ステップ402: 端末が、アクセスネットワークデバイスによって送信されたダウンリンク基準信号を受信する。
【００８８】
ステップ403: 端末が、複数のアップリンクプリコーディングベクトルを得るために、ダウンリンク基準信号を測定する。
【００８９】
ステップ404: 端末が、SRSを複数のアップリンクSRSリソース上でアクセスネットワークデバイスに送信する、ここで、異なるアップリンクSRSリソース上で送信されるSRSは、異なるアップリンクプリコーディングベクトルを使用してプリコーディングされる。
【００９０】
ステップ405: アクセスネットワークデバイスが、複数のアップリンクSRSリソース上で端末によって送信されたSRSを受信する。
【００９１】
ステップ406: アクセスネットワークデバイスが、アップリンクスケジューリングシグナリングを端末に送信する、ここで、アップリンクスケジューリングシグナリングは、アップリンクSRSリソースのうちの少なくとも1つのリソースインデックスを示すために使用される。
【００９２】
ステップ407: 端末が、アクセスネットワークデバイスによって送信されたアップリンクスケジューリングシグナリングを受信する。
【００９３】
ステップ408: 端末が、リソースインデックスに対応するアップリンクプリコーディングベクトルを使用してアップリンクデータをプリコーディングする。
【００９４】
必要に応じて、リソースインデックスに対応するアップリンクプリコーディングベクトルは、ダウンリンク基準信号を測定することによって端末によって得られる複数のアップリンクプリコーディングベクトルの一部である。
【００９５】
必要に応じて、アップリンクデータは、物理アップリンク共有チャネル(Physical Uplink Shared Channel、PUSCH)上で送信されるデータである。
【００９６】
ステップ409: 端末が、プリコーディングされたアップリンクデータをアクセスネットワークデバイスに送信する。
【００９７】
ステップ410: アクセスネットワークデバイスが、端末によって送信されたアップリンクデータを受信する。
【００９８】
結論としては、本実施形態において提供したデータ送信方法においては、端末にアクセスネットワークデバイスによって示されるアップリンクプリコーディングベクトルは、ダウンリンク基準信号を測定することによって端末によって得られる複数のアップリンクプリコーディングベクトルの一部である。このことが、プリセットコードブックからアクセスネットワークデバイスによって選択されたプリコーディング行列が端末のアップリンクチャネルの実際の状況に適していない場合があることよって引き起こされるアップリンクデータの比較的低品質な伝送パフォーマンスの問題を解決する。端末によって使用されるプリコーディングベクトルは、ダウンリンク基準信号を測定することによって端末によって得られるプリコーディングベクトルである。したがって、チャネルレシプロシティ原理に基づいて、プリコーディングベクトルは、端末のアップリンクチャネルの実際の状況により適したものとなり、その結果、アップリンクデータの伝送パフォーマンスを改善し得る。
【００９９】
図5は、本願の別の実施形態による、データ送信方法のフローチャートである。データ送信方法が図1に示した通信システムに適用される例を使用して本実施形態を説明する。方法は、以下のステップを含む。
【０１００】
ステップ501: アクセスネットワークデバイスが、ダウンリンク設定シグナリングを端末に送信する。
【０１０１】
ダウンリンク設定シグナリングは、ダウンリンク基準信号の時間-周波数リソースを設定するために使用される、ここで、時間-周波数リソースは、ダウンリンク基準信号を送信するために使用される時間-周波数リソースである。ダウンリンク基準信号の時間-周波数リソースに、時間領域リソースは、ダウンリンク基準信号によって占有される直交周波数分割多重方式(Orthogonal Frequency-Division Multiplexing、OFDM)シンボルのインデックスを含み、ダウンリンク基準信号によって占有される周波数領域リソースは、物理リソースブロックのインデックス(Physical Resource Block、PRB)を含む。
【０１０２】
必要に応じて、ダウンリンク設定命令は、アップリンクSRSリソースを設定するためにさらに使用される、ここで、アップリンクSRSリソースは、SRSを送信するために使用されるリソースである。アップリンクSRSリソースに、時間領域リソースは、SRSによって占有されるOFDMシンボルのインデックスを含み、周波数領域リソースは、SRSによって占有されるPRBのインデックスを含む。
【０１０３】
必要に応じて、ダウンリンク設定命令は、SRSを生成するために必要されるシーケンスリソース、またはSRSを生成するために必要とされるシーケンスリソースおよびコードリソースを設定するためにさらに使用される。シーケンスリソースは、Zadoff-Chuシーケンスのベースシーケンス番号である。コードリソースは、Zadoff-Chuシーケンスに対して行われる循環シフトの数量である、および/またはコードリソースは、Zadoff-Chuシーケンスの直交拡散符号のインデックスである。
【０１０４】
ステップ502: 端末が、アクセスネットワークデバイスによって送信されたダウンリンク設定シグナリングを受信する。
【０１０５】
端末は、ダウンリンク設定シグナリングに基づいてダウンリンク基準信号の時間-周波数リソースを決定する。
【０１０６】
必要に応じて、端末は、ダウンリンク設定シグナリングに基づいてアップリンクSRSリソースをさらに決定する。必要に応じて、少なくとも2つのアップリンクSRSリソースが存在し、異なるアップリンクSRSリソースは、異なるアップリンクポートに対応する。
【０１０７】
必要に応じて、端末は、ダウンリンク設定シグナリングに基づいて、SRSを生成するために使用されるシーケンスリソース、またはSRSを生成するために使用されるシーケンスリソースおよびコードリソースをさらに決定する。
【０１０８】
ステップ503: アクセスネットワークデバイスが、ダウンリンク基準信号を端末に送信する。
【０１０９】
必要に応じて、アクセスネットワークデバイスは、ダウンリンク設定シグナリングによって設定される時間-周波数リソース上でダウンリンク基準信号を送信する。
【０１１０】
必要に応じて、ダウンリンク基準信号は、CRS、DMRS、CSI-RS、またはダウンリンクチャネル推定のために使用され得る別の基準信号である。
【０１１１】
ステップ504: 端末が、アクセスネットワークデバイスによって送信されたダウンリンク基準信号を受信する。
【０１１２】
必要に応じて、端末は、ダウンリンク設定シグナリングによって設定される時間-周波数リソース上でダウンリンク基準信号を受信する。
【０１１３】
ステップ505: 端末が、複数のアップリンクプリコーディングベクトルを得るために、ダウンリンク基準信号を測定する。
【０１１４】
1. 端末は、測定を経て時間-周波数リソース上でダウンリンク基準信号の受信した信号行列を得る。
【０１１５】
ダウンリンク基準信号の受信した信号行列がYN*Mであり、YN*Mの次元がN個の行とM個の列とである、ここで、Nが端末の受信アンテナ数量であり、Mがアクセスネットワークデバイスの送信アンテナの数量であると仮定する。
その結果、YN*M=HS+Iとなる。
ここで、Hは、アクセスネットワークデバイスから端末へのダウンリンクチャネルであり、Sは、端末にアクセスネットワークデバイスによって送信された信号情報であり、Iは、干渉情報である。必要に応じて、干渉情報は、干渉およびノイズの総和情報である。必要に応じて、Sは、電力が1に正規化された信号を使用して表される。
【０１１６】
2. 端末は、プリセットチャネル推定アルゴリズムおよび受信した信号行列に基づいてダウンリンクチャネルのチャネル推定行列
【数１】
2019530283.tif 000003
を算出する。
【０１１７】
端末は、プリセットチャネル推定アルゴリズムに基づいてダウンリンク基準信号に対してチャネル推定を行い、ダウンリンクチャネルのチャネル推定行列
【数２】
2019530283.tif 000004
を算出する。プリセットチャネル推定アルゴリズムは、最小二乗(Least-Square)チャネル推定、最小平均二乗誤差(Minimum Mean Square Error、MMSE)チャネル推定、およびWienerチャネル推定のうちの少なくとも1つを含むがそれらに限定されない。
【０１１８】
【数３】
2019530283.tif 000005
【０１１９】
3. 端末は、ダウンリンクチャネルのチャネル推定行列
【数４】
2019530283.tif 000006
を転置して、アップリンクチャネルのチャネル推定行列
【数５】
2019530283.tif 000007
を得る。
【０１２０】
LTEまたは5Gにおいては、同一の周波数帯域幅がアップリンク伝送およびダウンリンク伝送のために使用される。アップリンク送信時間間隔およびダウンリンク送信時間間隔が十分に短い場合には、アップリンクチャネルのフェージングおよびダウンリンクチャネルのフェージングは基本的に同一である、すなわち、アップリンクチャネルおよびダウンリンクチャネルがチャネルレシプロシティを有するとみなしてよい。
【０１２１】
チャネルレシプロシティに基づいて、端末は、アップリンクチャネルのチャネル推定行列
【数６】
2019530283.tif 000008
を得る。
【数７】
2019530283.tif 000009
は、ダウンリンクチャネルのチャネル推定行列
【数８】
2019530283.tif 000010
の転置である。
【０１２２】
4. 端末は、アップリンクチャネルのチャネル推定行列
【数９】
2019530283.tif 000011
に対して特異値分解(Singular value decomposition、SVD)を行い、プリコーディング行列を得る。
【０１２３】
例えば、端末は、
【数１０】
2019530283.tif 000012
に対してSVD分解(または、別の行列分解方法)を行い、
【数１１】
2019530283.tif 000013
を得る、ここで、Uは、ユニタリ行列であり、
【数１２】
2019530283.tif 000014
は、半正定値対角行列であり、VHは、Vの共役転置行列である。Vの次元は、N個の行かつr個の行の行列である。M、N、およびrは、すべての正の整数である。
【０１２４】
例えば、Vは、プリコーディング行列であり、V内の行列要素の各列は、プリコーディングベクトルである。各プリコーディングベクトルの次元は、N、すなわち、端末の送信アンテナの数量である。
【０１２５】
ステップ506: 端末が、SRSを複数のアップリンクSRSリソース上でアクセスネットワークデバイスに送信する、ここで、異なるアップリンクSRSリソース上で送信されるSRSは、異なるアップリンクプリコーディングベクトルを使用してプリコーディングされる。
【０１２６】
1. 端末は、ダウンリンク設定シグナリングによって示されたシーケンスリソースおよび/またはコードリソースに基づいてSRSを生成する。
【０１２７】
必要に応じて、端末は、ダウンリンク設定シグナリングによって設定されるシーケンスリソースに基づいてSRSを生成する。
【０１２８】
必要に応じて、端末は、ダウンリンク設定シグナリングによって設定されるシーケンスリソースおよびコードリソースに基づいてSRSを生成する。すなわち、端末は、シーケンスリソースにおけるベースシーケンス番号に基づいてZadoff-Chuシーケンスを決定し、コードリソースによって示される循環シフト値に基づいてZadoff-Chuシーケンスに対する循環シフトを行い、SRSを得る。
【０１２９】
例えば、端末は、同一のZadoff-Chuシーケンスに対して異なる循環シフトを行うことによって4つのSRSを得る。
【０１３０】
2. 端末は、ダウンリンク設定シグナリングに基づいて複数のアップリンクSRSリソースを決定する、ここで、異なるアップリンクSRSリソースは、異なるアップリンクポートに対応する。
【０１３１】
例えば、4つのアップリンクSRSリソースが存在する。端末は、ダウンリンク設定シグナリングに基づいて4つのアップリンクSRSリソースを決定する、ここで、第1のアップリンクSRSリソースは、アップリンクポートのポート0に対応し、第2のアップリンクSRSリソースは、アップリンクポートのポート1に対応し、第3のアップリンクSRSリソースは、アップリンクポートのポート2に対応し、第4のアップリンクSRSリソースは、アップリンクポートのポート3に対応する。
【０１３２】
3. 端末は、プリコーディングベクトルを使用してSRSをプリコーディングする、ここで、異なるアップリンクSRSリソース上でSRSは、異なるプリコーディングベクトルを使用してプリコーディングされる。
【０１３３】
例えば、端末は、プリコーディング行列V内のr個のプリコーディングベクトルのすべてから4つのプリコーディングベクトルを選択する。第1のアップリンクSRSリソース上の第1のSRSは、第1のプリコーディングベクトルを使用してプリコーディングされ、第2のアップリンクSRSリソース上の第2のSRSは、第2のプリコーディングベクトルを使用してプリコーディングされ、第3のアップリンクSRSリソース上の第3のSRSは、第3のプリコーディングベクトルを使用してプリコーディングされ、第4のアップリンクSRSリソース上の第4のSRSは、第4のプリコーディングベクトルを使用してプリコーディングされる。
【０１３４】
4. 端末は、複数のアップリンクSRSリソース上でプリコーディングされたSRSを送信する。
【０１３５】
例えば、端末は、第1のアップリンクSRSリソース(アップリンクポートのポート0)上で第1のSRSを送信し、第2のアップリンクSRSリソース(アップリンクポートのポート1)上で第2のSRSを送信し、第3のアップリンクSRSリソース(アップリンクポートのポート2)上で第3のSRSを送信し、第4のアップリンクSRSリソース(アップリンクポートのポート3)上で第4のSRSを送信する。
【０１３６】
ステップ507: アクセスネットワークデバイスが、複数のアップリンクSRSリソース上で端末によって送信されたSRSを受信する。
【０１３７】
例えば、アクセスネットワークデバイスは、第1のアップリンクSRSリソース(アップリンクポートのポート0)上で第1のSRSを受信し、第2のアップリンクSRSリソース(アップリンクポートのポート1)上で第2のSRSを受信し、第3のアップリンクSRSリソース(アップリンクポートのポート2)上で第3のSRSを受信し、第4のアップリンクSRSリソース(アップリンクポートのポート3)上で第4のSRSを受信する。
【０１３８】
ステップ508: アクセスネットワークデバイスが、アップリンクスケジューリングシグナリングを端末に送信する、ここで、アップリンクスケジューリングシグナリングは、アップリンクSRSリソースのうちの少なくとも1つのリソースインデックスを示すために使用される。
【０１３９】
必要に応じて、ステップは、以下のステップを含む。
【０１４０】
1. アクセスネットワークデバイスは、プリセットポリシーに基づいていくつかのアップリンクSRSリソースのリソースインデックスを選択する。
【０１４１】
必要に応じて、アクセスネットワークデバイスは、受信したSRSの信号品質に基づいて、最適な信号品質を有しているSRSを決定し、最適な信号品質を有するSRSに対応するアップリンクSRSリソースのリソースインデックスを選択する。例えば、アップリンクポートのポート0上のSRSが最適な信号品質を有していると、アップリンクポートのポート0がリソースインデックスとして選択される。
【０１４２】
必要に応じて、アクセスネットワークデバイスは、受信したSRSの信号品質に基づいて、別の端末とのペアリング送信を行うのに適しているSRSを決定し、別の端末との協調伝送において比較的良好なパフォーマンスを有するSRSに対応するアップリンクSRSリソースのリソースインデックスを選択する。例えば、アップリンクポートのポート1上のSRSが別の端末とのマルチユーザペアリングを行うのに適していると、アップリンクポートのポート1がリソースインデックスとして選択される。
【０１４３】
必要に応じて、アクセスネットワークデバイスは、最初のn個のアップリンクポートに対するSRSランキングを決定し、最初のn個のアップリンクポートに対するSRSに対応するアップリンクSRSリソースのリソースインデックスを選択する。
【０１４４】
アクセスネットワークデバイスによって使用される決定方式が本実施形態に限定されないことに留意されたい。アップリンクSRSリソースのものであるとともにアクセスネットワークデバイスによって決定されるリソースインデックスは、端末がSRSを送信する場合には、端末によって使用されるアップリンクSRSリソースの一部またはすべてのリソースインデックスである。
【０１４５】
必要に応じて、アップリンクSRSリソースのリソースインデックスは、アップリンクポートのポートインデックスを使用して表される、またはアップリンクSRSリソースのリソースインデックスは、伝送ランク(rank)を使用して表される。伝送ランクとポートインデックスとの間には事前に設定された対応付けが存在する。例えば、伝送ランクとアップリンクポートのポートインデックスとの間の対応付けを以下の表1に示す。
【０１４６】
【表１】
2019530283.tif 000015
【０１４７】
あるいは、アップリンクSRSリソースのリソースインデックスは、別の方式で表され得る。このことは本実施形態に限定されない。
【０１４８】
2. アクセスネットワークデバイスは、アップリンクスケジューリングシグナリングを生成する、ここで、アップリンクスケジューリングシグナリングは、アップリンクSRSリソースのうちの少なくとも1つのリソースインデックスを示すために使用される。
【０１４９】
アップリンクスケジューリングシグナリングは、アップリンクスケジューリンググラント(Up Link grant、UL grant)とも称される。アップリンクスケジューリングシグナリングは、端末のためのPUSCHの時間-周波数リソース、すなわち、アップリンクデータを送信するために使用される時間-周波数リソースを設定するために使用される。
【０１５０】
本願の本実施形態においては、PUSCHの時間-周波数リソースを示すことに加えて、アップリンクスケジューリングシグナリングは、少なくとも1つのアップリンクSRSリソースのリソースインデックスをさらに搬送する。リソースインデックスは、リソースインデックスに対応するアップリンクプリコーディングベクトルを使用してアップリンクデータをプリコーディングするように端末に命令するために使用される。
【０１５１】
3. アクセスネットワークデバイスは、アップリンクスケジューリングシグナリングを端末に送信する。
【０１５２】
ステップ509: 端末が、アクセスネットワークデバイスによって送信されたアップリンクスケジューリングシグナリングを受信する。
【０１５３】
必要に応じて、端末は、アップリンクスケジューリングシグナリングに基づいたPUSCHの時間-周波数リソース、すなわち、アップリンクデータを送信するために使用される時間-周波数リソースを決定する。
【０１５４】
ステップ510: 端末が、リソースインデックスに対応するアップリンクプリコーディングベクトルを使用してアップリンクデータをプリコーディングする。
【０１５５】
必要に応じて、リソースインデックスに対応するアップリンクプリコーディングベクトルは、ダウンリンク基準信号を測定することによって端末によって得られる複数のアップリンクプリコーディングベクトルの一部である。
【０１５６】
必要に応じて、ステップは、以下のステップを含む。
【０１５７】
1. 端末は、アップリンクスケジューリングシグナリングに基づいてアップリンクSRSリソースのリソースインデックスを決定する、ここで、リソースインデックスに対応するアップリンクSRSリソースは、ステップ506において端末によって使用されるアップリンクSRSリソースの一部またはすべてである。
【０１５８】
2. 端末は、アップリンクSRSリソースのリソースインデックスに基づいて、リソースインデックスに対応するアップリンクプリコーディングベクトルを決定する。
【０１５９】
リソースインデックスがアップリンクポートのポートインデックスを使用して表される場合には、端末は、ポートインデックスに対応するアップリンクプリコーディングベクトルを決定する。リソースインデックスが伝送ランクを使用して表される場合には、端末は、(例えば、表1に示したような)事前に設定された対応付けに基づいて、伝送ランクに対応するアップリンクプリコーディングベクトルを決定する。
【０１６０】
3. 端末は、リソースインデックスに対応する決定したアップリンクプリコーディングベクトルを使用してアップリンクデータをプリコーディングする。
【０１６１】
例えば、アップリンクSRSリソースのリソースインデックスがポート0である場合には、端末は、ポート0に対応する第1のアップリンクプリコーディングベクトルを使用してアップリンクデータをプリコーディングする。
【０１６２】
ステップ511: 端末が、プリコーディングされたアップリンクデータをアクセスネットワークデバイスに送信する。
【０１６３】
必要に応じて、端末は、アップリンクスケジューリングシグナリングによって示された時間-周波数リソースに基づいてプリコーディングされたアップリンクデータをアクセスネットワークデバイスに送信する。
【０１６４】
ステップ512: アクセスネットワークデバイスが、端末によって送信されたアップリンクデータを受信する。
【０１６５】
アクセスネットワークデバイスは、アップリンクスケジューリングシグナリングによって示された時間-周波数リソース上で、端末によって送信されたアップリンクデータを受信する。
【０１６６】
結論としては、本実施形態において提供したデータ送信方法においては、端末にアクセスネットワークデバイスによって示されるアップリンクプリコーディングベクトルは、ダウンリンク基準信号を測定することによって端末によって得られる複数のアップリンクプリコーディングベクトルの一部である。このことが、プリセットコードブックからアクセスネットワークデバイスによって選択されたプリコーディング行列が端末のアップリンクチャネルの実際の状況に適していない場合があることよって引き起こされるアップリンクデータの比較的低品質な伝送パフォーマンスの問題を解決する。端末によって使用されるプリコーディングベクトルは、ダウンリンク基準信号を測定することによって端末によって得られるプリコーディングベクトルである。したがって、チャネルレシプロシティ原理に基づいて、プリコーディングベクトルは、端末のアップリンクチャネルの実際の状況により適したものとなり、その結果、アップリンクデータの伝送パフォーマンスを改善し得る。
【０１６７】
図5に示した実施形態に基づいた随意的な実施形態においては、アップリンクスケジューリングシグナリングは、アップリンクデータのために使用される変調方式および符号化率(Modulation and Coding Scheme、MCS)を示すためにさらに使用される。MCSは、リソースインデックスに対応するアップリンクプリコーディングベクトルを使用してプリコーディングされたアップリンクデータのMCSである。必要に応じて、ステップ510は、以下のステップを含む。
【０１６８】
1. 端末は、アップリンクスケジューリングシグナリングに基づいてリソースインデックスおよびアップリンクSRSリソースのMCSを決定する、ここで、リソースインデックスに対応するアップリンクSRSリソースは、ステップ506において端末によって使用されるアップリンクSRSリソースの一部またはすべてである。
【０１６９】
2. 端末は、MCSに基づいてアップリンクデータに対してチャネル符号化および変調を行う。
【０１７０】
3. 端末は、アップリンクSRSリソースのリソースインデックスに基づいて、リソースインデックスに対応するアップリンクプリコーディングベクトルを決定する。
【０１７１】
リソースインデックスがアップリンクポートのポートインデックスを使用して表される場合には、端末は、ポートインデックスに対応するアップリンクプリコーディングベクトルを決定する。リソースインデックスが伝送ランクを使用して表される場合には、端末は、(例えば、表1に示したような)事前に設定された対応付けに基づいて、伝送ランクに対応するアップリンクプリコーディングベクトルを決定する。
【０１７２】
4. 端末は、リソースインデックスに対応する決定したアップリンクプリコーディングベクトルを使用してアップリンクデータをプリコーディングする。
【０１７３】
アップリンクデータは、ステップ2におけるチャネル符号化および変調後に得られるアップリンクデータである。端末は、リソースインデックスに対応する決定したアップリンクプリコーディングベクトルを使用してアップリンクデータをプリコーディングする。
【０１７４】
例えば、アップリンクSRSリソースのリソースインデックスがポート0である場合には、端末は、ポート0に対応する第1のアップリンクプリコーディングベクトルを使用してアップリンクデータをプリコーディングする。
【０１７５】
図5に示した実施形態に基づいた随意的な実施形態においては、アップリンクスケジューリングシグナリングは、アップリンクデータのために使用されるプリコーディングスキームを示すためにさらに使用され、プリコーディングスキームは、開ループプリコーディングスキームまたは閉ループプリコーディングスキームである。
【０１７６】
開ループプリコーディングスキームは、端末が、順次、異なるアップリンクプリコーディングベクトルを使用して異なる時間-周波数リソース上のアップリンクデータをプリコーディングするスキームである、ここで、異なる時間-周波数リソースは、異なる物理リソースブロック、異なるサブキャリア、または異なるOFDMシンボルを含む。
【０１７７】
例えば、図6Aを参照すれば、アップリンクデータを送信するために使用される時間-周波数リソースは、時間領域Tにおいて合計で14個のOFDMシンボル、すなわち、第0から第13のOFDMシンボルを占有し、周波数領域FにおいてPRBペア(pair)0およびPRBペア1を占有する。端末は、順次、4つの異なるアップリンクプリコーディングベクトルを使用して異なるサブキャリア上のアップリンクデータをプリコーディングする。すなわち、PRBペア0およびPRBペア1内の第0、第4、および第8のサブキャリアは、アップリンクポートのポート0に対応する第1のアップリンクプリコーディングベクトルV0を使用してプリコーディングされ、PRBペア0およびPRBペア1内の第1、第5、および第9のサブキャリアは、アップリンクポートのポート1に対応する第2のアップリンクプリコーディングベクトルV1を使用してプリコーディングされ、PRBペア0およびPRBペア1内の第2、第6、および第10のサブキャリアは、アップリンクポートのポート2に対応する第3のアップリンクプリコーディングベクトルV2を使用してプリコーディングされ、PRBペア0およびPRBペア1内の第3、第7、および第11のサブキャリアは、アップリンクポートのポート3に対応する第4のアップリンクプリコーディングベクトルV3を使用してプリコーディングされる。
【０１７８】
例えば、図6Bを参照すれば、アップリンクデータを送信するために使用される時間-周波数リソースは、時間領域Tにおいて合計で14個のOFDMシンボル、すなわち、第0から第13のOFDMシンボルを占有し、周波数領域FにおいてPRBペア(pair)0およびPRBペア1を占有する。端末は、順次、4つの異なるアップリンクプリコーディングベクトルを使用して異なるOFDMシンボル上のアップリンクデータをプリコーディングする。すなわち、第0、第4、第8、および第12のOFDMシンボルは、アップリンクポートのポート0に対応する第1のアップリンクプリコーディングベクトルV0を使用してプリコーディングされ、第1、第5、第9、および第13のシンボルは、アップリンクポートのポート1に対応する第2のアップリンクプリコーディングベクトルV1を使用してプリコーディングされ、第2、第6、および第10のOFDMシンボルは、アップリンクポートのポート2に対応する第3のアップリンクプリコーディングベクトルV2を使用してプリコーディングされ、第3、第7、および第11のOFDMシンボルは、アップリンクポートのポート3に対応する第4のアップリンクプリコーディングベクトルV3を使用してプリコーディングされる。
【０１７９】
閉ループプリコーディングスキームは、特定の時間-周波数リソース上のアップリンクデータが、同一のアップリンクプリコーディングベクトルを使用して端末によってプリコーディングされるスキームである。
【０１８０】
例えば、図6Cを参照すれば、アップリンクデータを送信するために使用される時間-周波数リソースは、時間領域Tにおいて合計で14個のOFDMシンボル、すなわち、第0から第13のOFDMシンボルを占有し、周波数領域FにおいてPRBペア0およびPRBペア1を占有する。端末は、アップリンクポートのポート0に対応する第1のアップリンクプリコーディングベクトルV0を使用して全時間-周波数リソース上のアップリンクデータをプリコーディングする。
【０１８１】
図5に示した実施形態に基づいた随意的な実施形態においては、アップリンクスケジューリングシグナリングは、アップリンクデータのために使用される時間-周波数リソース、すなわち、PUSCHの時間-周波数リソースを示すためにさらに使用される。
【０１８２】
必要に応じて、アップリンクデータのために使用される時間-周波数リソースは、少なくとも2つのサブバンドを含み、各サブバンド上で送信されるアップリンクデータは、独立したリソースインデックスに対応するアップリンクプリコーディングベクトルを使用してプリコーディングされる。例えば、アップリンクデータのために使用される時間-周波数リソースは、サブバンド1およびサブバンド2を含み、サブバンド1は、2個のPRBを含み、サブバンド2は、3個のPRBを含む。サブバンド1上のアップリンクデータは、アップリンクポートのポート0に対応する第1のアップリンクプリコーディングベクトルV0を使用してプリコーディングされ、サブバンド2上のアップリンクデータは、アップリンクポートのポート1に対応する第2のアップリンクプリコーディングベクトルV1を使用してプリコーディングされる。
【０１８３】
必要に応じて、アップリンクデータのために使用される時間-周波数リソースの帯域幅上で送信されるアップリンクデータは、同一のリソースインデックスに対応するアップリンクプリコーディングベクトルを使用してプリコーディングされる。
【０１８４】
図5に示した実施形態に基づいた随意的な実施形態においては、アップリンクスケジューリングシグナリングは、アップリンクデータのために使用される時間-周波数リソースを示すためにさらに使用され、時間-周波数リソースは、第1のサブバンドセットおよび第2のサブバンドセットを含む。
【０１８５】
必要に応じて、アップリンクスケジューリングシグナリングは、リソースインデックスに対応するアップリンクプリコーディングベクトルを使用して、第1のサブバンドセット上で送信されるアップリンクデータをプリコーディングするように命令するためにさらに使用される。第1のサブバンドセットは、少なくとも1つのサブバンドを含み、各サブバンドは、少なくとも1個のPRBを含み、すなわち、第1のサブバンドセットは、図4または図5中の実施形態において提供したリソースインデックスに対応するアップリンクプリコーディングベクトルを使用してプリコーディングされる。
【０１８６】
必要に応じて、アップリンクスケジューリングシグナリングは、コードブックに基づいて決定されるアップリンクプリコーディングベクトルを使用して、第2のサブバンドセット上で送信されるアップリンクデータをプリコーディングするように命令するためにさらに使用される。第2のサブバンドセットは、少なくとも1つのサブバンドを含み、各サブバンドは、少なくとも1個のPRBを含み、すなわち、第2のサブバンドセットは、コードブックに基づいて決定される従来のアップリンクプリコーディングベクトルを使用してプリコーディングされる。コードブックに基づいて決定されるアップリンクプリコーディングベクトルは、アクセスネットワークデバイスによって決定される。
【０１８７】
図5に示した実施形態に基づいた随意的な実施形態においては、ダウンリンク設定命令によって占有される時間領域リソースおよびダウンリンク基準信号によって占有される時間領域リソースは、同一の時間ユニットにあり、時間ユニットは、タイムスロットまたはサブフレームまたは送信時間間隔であり、時間ユニットは、n個のOFDMシンボル(略して、シンボル)を含む。例えば、図7を参照すれば、1つの時間ユニットが7つのOFDMシンボル(または、別の数量のOFDMシンボル)を含む例を使用して図7を説明している。
【０１８８】
ダウンリンク設定シグナリングDCIは、時間ユニットの第0から第X1のOFDMシンボルを占有し、
ダウンリンク基準信号DL RSは、時間ユニットの第X2から第X3のOFDMシンボルを占有し、
X1=1または2または3であり、X3=X2またはX2+1であり、n-1>X3≧X2≧1である。
【０１８９】
例えば、図7においては、ダウンリンク設定シグナリングDCIは、時間領域Tにおいて時間ユニットの第0のシンボルを占有し、ダウンリンク基準信号DL RSは、時間領域Tにおいて時間ユニットの第1のシンボルを占有する。必要に応じて、ダウンリンク基準信号DL RSは、周波数領域Fにおいて連続的なまたは不連続的な周波数領域帯域幅を占有する。
【０１９０】
図5に示した実施形態に基づいた随意的な実施形態においては、ダウンリンク設定命令によって占有される時間領域リソースおよびダウンリンク基準信号によって占有される時間領域リソースは、同一の時間ユニットにあり、時間ユニットは、タイムスロットまたはサブフレームまたは送信時間間隔であり、時間ユニットは、n個のOFDMシンボルを含む。例えば、図8を参照すれば、1つの時間ユニットが7つのOFDMシンボル(または、別の数量のOFDMシンボル)を含む例を使用して図8を説明している。
【０１９１】
ダウンリンク設定シグナリングDCIは、時間ユニットの第0から第X1のOFDMシンボルを占有し、
ダウンリンク基準信号DL RSは、時間ユニットの第X2から第X3のOFDMシンボルを占有し、
SRSは、時間ユニットの第X4から第X5のOFDMシンボルを占有し、
X1=1または2または3であり、X3=X2またはX2+1であり、n-1≧X5≧X4>X3+1である。
【０１９２】
例えば、図8においては、ダウンリンク設定シグナリングDCIは、時間領域Tにおいて時間ユニットの第0のシンボルを占有し、ダウンリンク基準信号DL RSは、時間領域Tにおいて時間ユニットの第1のシンボルを占有し、SRSは、時間領域Tにおいて時間ユニットの第3から第5のシンボルを占有する。必要に応じて、ダウンリンク基準信号DL RSは、周波数領域Fにおいて連続的なまたは不連続的な周波数領域帯域幅を占有する。
【０１９３】
必要に応じて、ダウンリンク設定命令によって設定されたアップリンクSRSリソースが複数の周波数領域リソースを占有する場合には、SRSは、m個の周波数領域リソース上で周波数ホッピング方式で送信される。すなわち、異なるOFDMシンボルには、SRSが異なる周波数領域帯域幅を使用して送信される。
【０１９４】
必要に応じて、ダウンリンク基準信号の時間-周波数リソースによって占有される周波数領域帯域幅は、アップリンクSRSリソースによって占有される周波数領域帯域幅と同一である。
【０１９５】
図5に示した実施形態に基づいた随意的な実施形態においては、ダウンリンク設定命令によって占有される時間領域リソースおよびダウンリンク基準信号によって占有される時間領域リソースは、同一の時間ユニットにあり、時間ユニットは、タイムスロットまたはサブフレームまたは送信時間間隔であり、時間ユニットは、n個のOFDMシンボルを含む。例えば、図9を参照すれば、1つの時間ユニットが7つのOFDMシンボル(または、別の数量のOFDMシンボル)を含む例を使用して図9を説明している。
【０１９６】
ダウンリンク設定シグナリングDCIは、時間ユニットの第0から第X1のOFDMシンボルを占有し、
ダウンリンク基準信号DL RSは、時間ユニットの第X2から第X3のOFDMシンボルを占有し、
SRS(または、アップリンクSRSリソースと称される)は、時間ユニットの第X4から第X5のOFDMシンボルを占有し、
アップリンクスケジューリングシグナリングULグラントは、時間ユニットの第Y6から第Y7のシンボルを占有し、
X1=1または2または3であり、X3=X2またはX2+1であり、n-1≧X7≧X6>X5≧X4>X3+1である。
【０１９７】
例えば、図9においては、ダウンリンク設定シグナリングDCIは、時間領域Tにおいて時間ユニットの第0のシンボルを占有し、ダウンリンク基準信号DL RSは、時間領域Tにおいて時間ユニットの第1のシンボルを占有し、SRSは、時間領域Tにおいて時間ユニットの第3から第5のシンボルを占有し、アップリンクスケジューリングシグナリングULグラントは、時間ユニットの第6のシンボルを占有する。
【０１９８】
必要に応じて、ダウンリンク設定命令によって設定されたアップリンクSRSリソースが複数の周波数領域リソースを占有し、SRSは、m個の周波数領域リソース上で周波数ホッピング方式で送信される。すなわち、異なるOFDMシンボルには、SRSが異なる周波数領域帯域幅を使用して送信される。
【０１９９】
必要に応じて、ダウンリンク基準信号の時間-周波数リソースによって占有される周波数領域帯域幅は、アップリンクSRSリソースによって占有される周波数領域帯域幅と同一である。
【０２００】
結論としては、本実施形態において提供したデータ送信方法においては、端末は、1つの時間領域ユニットにおいてアクセスネットワークデバイスにアップリンクデータを迅速かつ効率的に送信し得る。
【０２０１】
図5に示した実施形態に基づいた随意的な実施形態が実施のためにさらに組み合わされ得ることに留意されたい。前述の随意的な実施形態の組み合わせた実施形態は前述の随意的な実施形態の説明に基づいて当業者によって容易に見当がつけられるため、本明細書では説明していない。
【０２０２】
図5に示した実施形態または各随意的な実施形態においては、端末によって行われるステップは端末側におけるデータ送信方法として独立して実施され得るし、アクセスネットワークデバイスによって行われるステップはアクセスネットワークデバイス側におけるアップリンクデータ受信方法として独立して実施され得ることに留意されたい。
【０２０３】
図7から図9中のリソース占有図は説明のための例に過ぎず様々な信号またはデータの正確なリソース位置を表していないことに留意されたい。
【０２０４】
図5に示した実施形態に基づいた随意的な実施形態においては、アップリンクスケジューリングシグナリングは、2つのレベルの制御シグナリングを使用して送信される。この部分の詳細については、以下の実施形態を参照されたい。
【０２０５】
図10は、本願の実施形態による、シグナリング送信方法のフローチャートである。シグナリング送信方法が図1に示した通信システムに適用される例を使用して本実施形態を説明する。方法はまた、図4または図5に示した実施形態を組み合わせて実施され得る。シグナリング送信方法は、以下のステップを含む。
【０２０６】
ステップ1001: アクセスネットワークデバイスが、スケジューリンググラントシグナリングを端末に送信する、ここで、スケジューリンググラントシグナリングは、第1レベルの制御シグナリングおよび第2レベルの制御シグナリングを含む。
【０２０７】
第1レベルの制御シグナリングは、M個の伝送モードにおける共通のスケジューリング情報を示すために使用される。
【０２０８】
第2レベルの制御シグナリングは、M個の伝送モードにおける特定のスケジューリング情報を示すために使用される。
【０２０９】
Mは、2以上の整数である。
【０２１０】
ステップ1002: 端末が、アクセスネットワークデバイスによって送信されたスケジューリンググラントシグナリングを受信する、ここで、スケジューリンググラントシグナリングは、第1レベルの制御シグナリングおよび第2レベルの制御シグナリングを含む。
【０２１１】
必要に応じて、スケジューリンググラントシグナリングは、ダウンリンクスケジューリンググラントまたはアップリンクスケジューリンググラント(UL grant)である。
【０２１２】
結論としては、本実施形態において提供したシグナリング送信方法においては、スケジューリンググラントシグナリングは、2つのレベルの制御シグナリングを使用して端末に送信され、M個の伝送モードにおける共通のスケジューリング情報は、第1レベルの制御シグナリングにおいて中心的に送信される、その結果、スケジューリンググラントシグナリングの伝送リソースオーバーヘッドを低減し得るし、アクセスネットワークデバイスは、より効率的に端末を制御し得るし、端末は、異なる伝送モード間を迅速に切り替え得る。
【０２１３】
図10に示した実施形態に基づいた随意的な実施形態においては、スケジューリンググラント命令は、アップリンクスケジューリンググラントである。M個の伝送モードは、
シングルアンテナ伝送モード、
送信ダイバーシチ伝送モード、
コードブックベースの開ループプリコーディングスキーム、
コードブックベースの閉ループプリコーディングスキーム、
チャネルレシプロシティベースの開ループプリコーディングスキーム、および、
チャネルレシプロシティベースの閉ループプリコーディングスキームといった、伝送モードのうちの少なくとも2つを含み、
コードブックベースの開ループプリコーディングスキームは、異なる時間-周波数リソース上のアップリンクデータがアクセスネットワークデバイスによって示されるコードブック内のプリコーディングベクトルを順次使用してプリコーディングされるスキームであり、コードブックベースの閉ループプリコーディングスキームは、アクセスネットワークデバイスによって示されるコードブック内のプリコーディング行列を使用して特定の時間-周波数リソース上のアップリンクデータがプリコーディングされるスキームであり、チャネルレシプロシティベースの開ループプリコーディングスキームは、異なる時間-周波数リソース上のアップリンクデータがダウンリンクチャネル(または、ダウンリンク基準信号)測定を経て得られるプリコーディングベクトルを順次使用してプリコーディングされるスキームであり、チャネルレシプロシティベースの閉ループプリコーディングスキームは、ダウンリンクチャネル(または、ダウンリンク基準信号)測定を経て得られるプリコーディングベクトルを使用して特定の時間-周波数リソース上のアップリンクデータがプリコーディングされるスキームである。
【０２１４】
図10に示した実施形態に基づいた随意的な実施形態においては、スケジューリンググラント命令は、ダウンリンクスケジューリンググラントである。M個の伝送モードは、
シングルアンテナ伝送モード、
送信ダイバーシチ伝送モード、
開ループプリコーディングスキーム、および、
閉ループプリコーディングスキームといった、伝送モードのうちの少なくとも2つを含み、
開ループプリコーディングスキームは、異なる時間-周波数リソース上でダウンリンクデータがアクセスネットワークデバイスによって示されるコードブック内のプリコーディングベクトルを順次使用してプリコーディングされるスキームであり、閉ループプリコーディングスキームは、特定の時間-周波数リソース上でダウンリンクデータがアクセスネットワークデバイスによって示されるコードブック内のプリコーディング行列を使用してプリコーディングされるスキームである。
【０２１５】
図10に示した実施形態に基づいた随意的な実施形態においては、第1レベルの制御シグナリングは、
第1のスケジューリングリソースインディケーション情報、および第2レベルの制御シグナリングの伝送モードのインディケーション情報、または、
第1のスケジューリングリソースインディケーション情報、第2レベルの制御シグナリングの伝送モードのインディケーション情報、および第1のMSC、または、
第1のスケジューリングリソースインディケーション情報、第2レベルの制御シグナリングの伝送モードのインディケーション情報、第1のMSC、および復調パイロットポート情報、または、
第1のスケジューリングリソースインディケーション情報、第2レベルの制御シグナリングの伝送モードのインディケーション情報、第1のMSC、および第1レベルのプリコーディング行列インディケーション情報、または、
第1のスケジューリングリソースインディケーション情報、第2レベルの制御シグナリングの伝送モードのインディケーション情報、および第1レベルのプリコーディング行列インディケーション情報、または、
第1のスケジューリングリソースインディケーション情報、第2レベルの制御シグナリングの伝送モードのインディケーション情報、第1のMSC、第1レベルのプリコーディング行列インディケーション情報、電力制御コマンド、チャネル測定トリガ情報、およびアップリンクSRSリソースのリソース設定情報を含み、
第1のMCSは、第1のトランスポートブロックのMCS、または想定される第1の伝送モードにおけるMCSである。
【０２１６】
第1のスケジューリングリソースインディケーション情報は、データチャネルの時間-周波数リソースを示すために使用され、第2レベルの制御シグナリングの伝送モードのインディケーション情報は、M個の伝送モードの1つを示すために使用され、復調パイロットポート情報は、データパイロット復調のために使用される時間-周波数リソース、パイロット復調のためのポートインデックス、およびパイロット復調のための拡散符号といった情報のうちの少なくとも1つを示すために使用され、第1レベルのプリコーディング行列インディケーション情報(Precoding-Matrix Indicator、PMI)は、第1レベルのプリコーディング行列を示すために使用され、第1レベルのプリコーディング行列は、少なくとも1つのプリコーディングベクトルを含み、電力制御コマンドは、アップリンク送信電力に関連しているパラメータを端末に示すために使用され、チャネル測定トリガ情報は、ダウンリンク基準信号を測定するように端末にトリガしチャネル測定結果をフィードバックするために使用される。
【０２１７】
図10に示した実施形態に基づいた随意的な実施形態においては、第2レベルの制御シグナリングは、
第2レベルのプリコーディング行列インディケーション情報、または、
第2のMCSおよび第2レベルのプリコーディング行列インディケーション情報、または、
第2のMCSおよび第2レベルのプリコーディング行列インディケーション情報、または、
第2のMCS、第2レベルのプリコーディング行列インディケーション情報、および復調パイロットポート情報、または、
第2のMCS、第2レベルのプリコーディング行列インディケーション情報、および第2のスケジューリングリソースインディケーション情報を含み、
第2のMCSは、第2のトランスポートブロックのMCS、または第2レベルの制御シグナリングの伝送モードにおけるものと比較した第1の伝送モードにおけるMCSに対する差分MCSであり、第2のスケジューリングリソースインディケーション情報は、第1のスケジューリングリソースインディケーション情報によって示される時間-周波数リソース範囲内のリソースを示すために使用される。例えば、第1のスケジューリングリソースインディケーション情報は、データチャネルの伝送リソースとしての機能を果たす100個のPRBからのうちの10個のPRBを示すために使用され、第2のスケジューリングリソースインディケーション情報は、10個のPRBからのうちの3個のPRBをより正確に示すために使用される。
【０２１８】
必要に応じて、第1レベルのプリコーディング行列情報は、ダブルコードブック構造における第1レベルのプリコーディング行列W1を決定するために使用され、第2レベルのプリコーディング行列情報は、ダブルコードブック構造における第2レベルのプリコーディング行列W2を決定するために使用される。
【０２１９】
ダブルコードブック構造における第1レベルのプリコーディング行列
【数１３】
2019530283.tif 000016
の形式は、以下の通りである。
【０２２０】
【数１４】
2019530283.tif 000017
【０２２１】
ダブルコードブック構造における第2レベルのプリコーディング行列の形式は、以下の通りである。
【０２２２】
ランク1:
【数１５】
2019530283.tif 000018
【０２２３】
ランク2:
【数１６】
2019530283.tif 000019
【０２２４】
別のランクについては、LTEにおけるコードブックの設計原理を参照されたい、そのため、例を説明することはしない。
【０２２５】
図10に示した実施形態に基づいた随意的な実施形態においては、前述の方法は、図11に示しているように、ステップ903をさらに含む。
【０２２６】
ステップ1003: 端末が、第1レベルの制御シグナリングおよび第2レベルの制御シグナリングに基づいてデータチャネルのスケジューリング情報を決定する。
【０２２７】
広義では、本実施形態におけるデータチャネルは、データを送信するために使用されるチャネルを指し、チャネル上で送信されるデータも指す。例えば、PUSCHは、PUSCHチャネルとして理解されてもよいし、PUSCH上で送信されるアップリンクデータとしても理解されてもよく、物理ダウンリンク共通チャネル(Physical Downlink Shared Channel、PDSCH)は、PDSCHチャネルとして理解されてもよいし、PDSCH上で送信されるダウンリンクデータとしても理解されてもよい。
【０２２８】
データチャネルのスケジューリング情報は、データチャネルの時間-周波数リソース(または、時間-周波数リソース位置と称される)、各時間-周波数リソース上で送信されるデータのプリコーディングベクトル、各時間-周波数リソース上で送信されるデータのMCSなどを含むがそれらに限定されない。
【０２２９】
必要に応じて、データチャネルの時間-周波数リソースを決定することに関しては、ステップ1003は、
端末によって、第1のスケジューリングリソース情報に基づいてデータチャネルの時間-周波数リソースを決定するステップ、または、端末によって、第1のスケジューリングリソース情報および第2のスケジューリングリソース情報に基づいてデータチャネルの時間-周波数リソースを決定するステップ、といったステップを含む。
【０２３０】
必要に応じて、各時間-周波数リソース上で送信されるデータのプリコーディングベクトルを決定することに関しては、ステップ1003は、
1. 端末によって、第1レベルの制御シグナリング内の第1レベルのプリコーディング行列インディケーション情報に基づいてダブルコードブック構造における第1のプリコーディング行列W1を決定するステップ、
2. 端末によって、第2レベルの制御シグナリング内の第2レベルのプリコーディング行列インディケーション情報に基づいてダブルコードブック構造における第2のプリコーディング行列W2を決定するステップ、
3. 端末によって、第1のプリコーディング行列W1および第2のプリコーディング行列W2に基づいて、データチャネル上で送信されるデータのために使用されるプリコーディング行列を決定するステップ、といったステップを含む。
【０２３１】
必要に応じて、端末は、データチャネル上で送信されるデータのために使用されるプリコーディング行列を得るために、第1のプリコーディング行列W1を第2のプリコーディング行列W2と乗算する。
【０２３２】
必要に応じて、第1レベルのプリコーディング行列インディケーション情報は、第1レベルの制御シグナリングの次の要素における第1のプリコーディング行列インディケーション情報を受信する前に有効なままとなっている情報であり、第2レベルのプリコーディング行列インディケーション情報は、現在のスケジューリング中に有効であるインディケーション情報である。
【０２３３】
必要に応じて、第1レベルの制御シグナリングおよび第2レベルの制御シグナリングは、同一の時間ユニット内の異なるOFDMシンボルを占有し、第1レベルの制御シグナリングは、時間ユニット内の最初のn個のOFDMシンボルを占有し、nは正の整数であり、第2レベルの制御シグナリングは、時間ユニット内のデータスケジューリング帯域幅を占有する。
【０２３４】
必要に応じて、第1レベルの制御シグナリングおよび第2レベルの制御シグナリングは、異なる時間ユニットを占有する。第2レベルの制御シグナリングは、データチャネルのスケジューリング情報を決定するために、第2レベルの制御シグナリング前に送信された最新の第1レベルの制御シグナリングと一緒に使用される。
【０２３５】
必要に応じて、第1レベルの制御シグナリングの2つの要素は、第iの時間ユニットおよび第(i+j)の時間ユニットをそれぞれ占有し、第2レベルの制御シグナリングの少なくとも2つの要素によって占有される第(i+k)の時間ユニットが存在し、0≦k≦jであり、i、j、およびkはすべて、整数である。
【０２３６】
例えば、図12Aを参照すれば、時間領域Tにおいて、第1レベルの制御シグナリングDCI11は、第1の時間ユニットを占有し、第2レベルの制御シグナリングDCI21は、第2の時間ユニットを占有し、第2レベルの制御シグナリングDCI22は、第3の時間ユニットを占有し、第2レベルの制御シグナリングDCI23は、第4の時間ユニットを占有し、第2レベルの制御シグナリングDCI24は、第5の時間ユニットを占有し、第1レベルの制御シグナリングDCI12は、第6の時間ユニットを占有する。
【０２３７】
第1レベルの制御シグナリングDCI11と第1レベルの制御シグナリングDCI12との間に第2レベルの制御シグナリングの4つの要素、DCI21、DCI22、DCI23、およびDCI24が存在する。
【０２３８】
第1レベルの制御シグナリングDCI11内の第1レベルのプリコーディング行列インディケーション情報によって示される第1レベルのプリコーディング行列はW11であり、第2レベルの制御シグナリングDCI21内の第2レベルのプリコーディング行列インディケーション情報によって示される第2レベルのプリコーディング行列はW21であり、第2レベルの制御シグナリングDCI22内の第2レベルのプリコーディング行列インディケーション情報によって示される第2レベルのプリコーディング行列はW22であり、第2レベルの制御シグナリングDCI23内の第2レベルのプリコーディング行列インディケーション情報によって示される第2レベルのプリコーディング行列はW23であり、第2レベルの制御シグナリングDCI24内の第2レベルのプリコーディング行列インディケーション情報によって示される第2レベルのプリコーディング行列はW24であり、第1レベルの制御シグナリングDCI12内の第1レベルのプリコーディング行列インディケーション情報によって示される第1レベルのプリコーディング行列はW12である。
【０２３９】
必要に応じて、第1レベルのプリコーディング行列インディケーション情報によって示される第1レベルのプリコーディング行列は、ワイドバンドに対応し、第2レベルのプリコーディング行列インディケーション情報によって示される第2レベルのプリコーディング行列は、サブバンドに対応する。すなわち、第1レベルのプリコーディング行列インディケーション情報は、第1レベルの制御シグナリングの周波数領域帯域幅全体のプリコーディング行列に適用可能であり、第2レベルのプリコーディング行列インディケーション情報は、第2の制御命令によって示されるサブバンドのプリコーディング行列のみに適用可能である。
【０２４０】
必要に応じて、第2レベルの制御シグナリングは、データチャネルのスケジューリング情報を決定するために、第2レベルの制御シグナリング前に送信された最新の第1レベルの制御シグナリングと一緒に使用される。すなわち、端末は、第2レベルの制御シグナリング内の第2のスケジューリングリソース情報と、第2レベルの制御シグナリング前に送信された最新の第1レベルの制御シグナリング内の第1のスケジューリングリソース情報とを一緒に使用してデータチャネルの時間-周波数リソースを決定する。
【０２４１】
例えば、図12Aおよび図12Bを参照すれば、図12Bは、データチャネルの時間-周波数リソースの周波数領域帯域幅の概略図である。
【０２４２】
第1レベルの制御シグナリングDCI11内の第1のスケジューリングリソース情報によって示される時間-周波数リソースによって占有される周波数領域帯域幅は、ワイドバンドF1であり、第2レベルの制御シグナリングDCI21内の第2のスケジューリングリソース情報によって示される時間-周波数リソースによって占有される周波数領域帯域幅は、サブバンドF11であり、第2レベルの制御シグナリングDCI22内の第2のスケジューリングリソース情報によって示される時間-周波数リソースによって占有される周波数領域帯域幅は、サブバンドF12であり、第2レベルの制御シグナリングDCI23内の第2のスケジューリングリソース情報によって示される時間-周波数リソースによって占有される周波数領域帯域幅は、サブバンドF13であり、第2レベルの制御シグナリングDCI24内の第2のスケジューリングリソース情報によって示される時間-周波数リソースによって占有される周波数領域帯域幅は、サブバンドF14であると仮定する。
【０２４３】
サブバンドF11、サブバンドF12、サブバンドF13、およびサブバンドF14はすべて、ワイドバンドF1の一部である。各サブバンドは、少なくとも1個のPRBを含み、サブバンドの帯域幅は、同一であるまたは異なる。
【０２４４】
第1レベルのプリコーディング行列W11は、ワイドバンドF1全体に適用可能であり、第2レベルのプリコーディング行列W21は、サブバンドF11に適用可能であり、第2レベルのプリコーディング行列W22は、サブバンドF12に適用可能であり、第2レベルのプリコーディング行列W23は、サブバンドF13に適用可能であり、第2レベルのプリコーディング行列W24は、サブバンドF14に適用可能である。
【０２４５】
必要に応じて、端末は、第2レベルの制御シグナリングの第2レベルのプリコーディング行列インディケーション情報と、第2レベルの制御シグナリング前に送信された最新の第1レベルの制御シグナリングの第1の第2レベルのプリコーディング行列インディケーション情報とを一緒に使用して、データのために使用されるプリコーディング行列(または、プリコーディングベクトル)を決定する。
【０２４６】
端末がサブバンドF11内のデータのために使用されるプリコーディング行列を決定する場合には、W11とW21との積を使用して得られるプリコーディング行列W11*W21が使用される。端末がサブバンドF12内のデータのために使用されるプリコーディング行列を決定する場合には、W11とW22との積を使用して得られるプリコーディング行列W11*W22が使用される。端末がサブバンドF13内のデータのために使用されるプリコーディング行列を決定する場合には、W11とW23との積を使用して得られるプリコーディング行列W11*W23が使用される。端末がサブバンドF14内のデータのために使用されるプリコーディング行列を決定する場合には、W11とW24との積を使用して得られるプリコーディング行列W11*W24が使用される。
【０２４７】
第1レベルのプリコーディング行列インディケーション情報が、第1レベルの制御シグナリングの次の要素における第1のプリコーディング行列インディケーション情報を受信する前に有効なままとなっている情報であり、第2レベルのプリコーディング行列インディケーション情報が、現在のスケジューリング中に有効であるインディケーション情報であることが図12Aおよび図12Bから理解されよう。
【０２４８】
図10中の実施形態に基づいた随意的な実施形態においては、第1レベルの制御シグナリングおよび第2レベルの制御シグナリングは、同一の時間ユニット内の異なるOFDMシンボルを占有し、第1レベルの制御シグナリングは、時間ユニット内の最初のn個のOFDMシンボルを占有し、nは正の整数であり、第2レベルの制御シグナリングは、時間ユニット内のデータスケジューリング帯域幅を占有する。
【０２４９】
図10中の実施形態に基づいた随意的な実施形態においては、第1レベルの制御シグナリングは、第2レベルの制御シグナリングの時間-周波数位置を示すためにさらに使用される。端末は、UEブラインド検出技術を使用して第1レベルの制御シグナリングの時間-周波数位置を受信し、第1レベルの制御シグナリングによって示された第2レベルの制御シグナリングの時間-周波数位置を使用して第2レベルの制御シグナリングを受信する。
【０２５０】
図10中の実施形態に基づいた随意的な実施形態においては、M個の伝送モードには、第1レベルの制御シグナリングのみに対応して第2レベルの制御シグナリングを必要としない少なくとも1つの伝送モード、例えば、シングルアンテナ伝送モードが存在する。この場合には、第1レベルの制御シグナリングを受信した後に、端末は、第2レベルの制御シグナリングを検出することを停止する。
【０２５１】
図10または図11中の端末によって行われるステップは端末側におけるシグナリング受信方法として独立して実施され得るし、図10または図11中のアクセスネットワークデバイスによって行われるステップはアクセスネットワークデバイス側におけるシグナリング送信方法として独立して実施され得ることに留意されたい。
【０２５２】
以下は本願の実施形態のうちの装置の実施形態である。装置の実施形態において詳細に説明していない詳細については、上記の対応する方法の実施形態を参照されたい。
【０２５３】
図13は、本願の実施形態による、データ送信装置のブロック図である。メッセージ送信装置は、専用のハードウェア回路またはソフトウェアとハードウェアとの組合せを使用して、端末全体または端末の一部として実装され得る。メッセージ送信装置は、受信ユニット1320、処理ユニット1320、および送信ユニット1340を含む。
【０２５４】
受信ユニット1320は、ステップ402、ステップ407、ステップ502、およびステップ504、ならびに端末によって情報を受信する別の潜在的なステップにおいて受信機能を実施するように構成される。
【０２５５】
処理ユニット1320は、ステップ403、ステップ408、ステップ505、およびステップ510、ならびに端末によってデータまたは情報を処理する別の潜在的なステップにおいてその機能を実施するように構成される。
【０２５６】
送信ユニット1340は、ステップ404、ステップ409、ステップ506、ステップ509、およびステップ511、ならびに端末によって情報を送信する別の潜在的なステップにおいて送信機能を実施するように構成される。
【０２５７】
関連する詳細については、図4、図5、図10、または図11において説明した方法の実施形態を参照されたい。
【０２５８】
受信ユニット1320は、レシーバによって実施、またはレシーバと協調するプロセッサによって実施され得るし、処理ユニット1340は、プロセッサによって実施、またはメモリ内のプログラム命令を実行するプロセッサによって実施され得るし、送信ユニット1360は、トランスミッタによって実施、またはトランスミッタと協調するプロセッサによって実施され得ることに留意されたい。
【０２５９】
図10または図11に示した実施形態のステップを実施する場合には、データ送信装置はダウンリンクデータを受信し得ることにさらに留意されたい。
【０２６０】
図14は、本願の別の実施形態による、データ受信装置のブロック図である。メッセージ送信装置は、専用のハードウェア回路またはソフトウェアとハードウェアとの組合せを使用して、アクセスネットワーク端末全体または第1のアクセスネットワークデバイスまたはアクセスネットワーク端末の一部または第1のアクセスネットワークデバイスとして実装され得る。メッセージ送信装置は、送信ユニット1420、処理ユニット1440、および受信ユニット1440を含む。
【０２６１】
送信ユニット1420は、ステップ401、ステップ406、ステップ501、ステップ503、およびステップ508、ならびにアクセスネットワーク端末によって情報を送信する別の潜在的なステップにおいて送信機能を実施するように構成される。
【０２６２】
処理ユニット1440は、ステップ408、およびアクセスネットワークデバイスによって情報を処理する別の潜在的なステップにおいて処理機能を実施するように構成される。
【０２６３】
受信ユニット1440は、ステップ405、ステップ410、ステップ507、およびステップ512、ならびにアクセスネットワークデバイスによって情報を受信する別の潜在的なステップにおいて受信機能を実施するように構成される。
【０２６４】
関連する詳細については、図4、図5、図10、または図11において説明した方法の実施形態を参照されたい。
【０２６５】
送信ユニット1420は、トランスミッタによって実施、またはトランスミッタと協調するプロセッサによって実施され得るし、処理ユニット1440は、プロセッサによって実施、またはメモリ内のプログラム命令を実行するプロセッサによって実施され得るし、受信ユニット1460は、レシーバRxによって実施、またはレシーバと協調するプロセッサによって実施され得ることに留意されたい。
【０２６６】
図10または図11に示した実施形態のステップを実施する場合には、データ受信装置はダウンリンクデータを送信し得ることにさらに留意されたい。
【０２６７】
本願の前述の実施形態のシーケンス番号は、説明に役立つことを目的としたものに過ぎず、実施形態の優先度を示すことに限定されない。
【０２６８】
当業者は、実施形態のステップのすべてまたは一部がハードウェアまたは関連ハードウェアに命令するプログラムによって実施され得ることを理解されよう。プログラムは、コンピュータ可読記憶媒体に記憶され得る。ストレージメディアは、リードオンリーメモリ、磁気ディスク、光ディスクなどであり得る。
【０２６９】
前述の説明は、本願の実施形態の例に過ぎず、本願を限定することを意図したものではない。本願の精神および原理から逸脱せずになされた任意の修正、均等な置換、または改善は、本願の保護範囲内に含まれるものとする。
【符号の説明】
【０２７０】
120  端末
21  プロセッサ
22  トランシーバ
23  メモリ
24  オペレーティングシステム
25  アプリケーションプログラムモジュール
251  受信モジュール
252  処理モジュール
253  送信モジュール
140  アクセスネットワークデバイス
31  プロセッサ
32  トランシーバ
33  メモリ
34  オペレーティングシステム
35  アプリケーションプログラムモジュール
351  受信モジュール
352  処理モジュール
353  送信モジュール
Rx  レシーバ
Tx  トランスミッタ
1320  受信ユニット
1340  処理ユニット
1360  送信ユニット
1420  送信ユニット
1440  処理ユニット
1460  受信ユニット
【図１】
2019530283.tif 000020
【図２】
2019530283.tif 000021
【図３】
2019530283.tif 000022
【図４】
2019530283.tif 000023
【図５】
2019530283.tif 000024
【図６Ａ】
2019530283.tif 000025
【図６Ｂ】
2019530283.tif 000026
【図６Ｃ】
2019530283.tif 000027
【図７】
2019530283.tif 000028
【図８】
2019530283.tif 000029
【図９】
2019530283.tif 000030
【図１０】
2019530283.tif 000031
【図１１】
2019530283.tif 000032
【図１２Ａ】
2019530283.tif 000033
【図１２Ｂ】
2019530283.tif 000034
【図１３】
2019530283.tif 000035
【図１４】
2019530283.tif 000036
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
データ送信装置であって、前記装置は、
アクセスネットワークデバイスからダウンリンク基準信号を受信するように構成される、受信ユニットと、
複数のアップリンクプリコーディングベクトルを得るために、前記ダウンリンク基準信号を測定するように構成される、処理ユニットと、
サウンディング基準信号SRSを複数のアップリンクSRSリソース上で前記アクセスネットワークデバイスに送信するように構成される、送信ユニットであって、異なるアップリンクSRSリソース上で送信されるSRSは、異なるアップリンクプリコーディングベクトルを使用してプリコーディングされる、送信ユニットとを含み、
前記受信ユニットは、前記アクセスネットワークデバイスからアップリンクスケジューリングシグナリングを受信するようにさらに構成され、前記アップリンクスケジューリングシグナリングは、前記アップリンクSRSリソースのうちの少なくとも1つのリソースインデックスを示すために使用され、
前記処理ユニットは、前記リソースインデックスに対応するアップリンクプリコーディングベクトルに従ってアップリンクデータをプリコーディングするようにさらに構成され、
前記送信ユニットは、前記プリコーディングされたアップリンクデータを前記アクセスネットワークデバイスに送信するようにさらに構成される、装置。
【請求項２】
前記アップリンクスケジューリングシグナリングは、前記アップリンクデータのために使用される時間-周波数リソースを示すためにさらに使用され、
前記時間-周波数リソースの帯域幅上で送信される前記アップリンクデータは、同一のリソースインデックスに対応するアップリンクプリコーディングベクトルを使用してプリコーディングされる、請求項1に記載の装置。
【請求項３】
前記受信ユニットは、前記アクセスネットワークデバイスによって送信されたダウンリンク設定シグナリングを受信するようにさらに構成され、
前記ダウンリンク設定シグナリングは、前記ダウンリンク基準信号の時間-周波数リソースを設定するために使用される、または、
前記ダウンリンク設定シグナリングは、前記ダウンリンク基準信号の時間-周波数リソース、前記アップリンクSRSリソース、前記SRSのシーケンスリソース、および前記SRSのコードリソースを設定するために使用される、請求項1または2に記載の装置。
【請求項４】
前記ダウンリンク設定シグナリングによって占有される時間領域リソースおよび前記ダウンリンク基準信号によって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
X1=1または2または3であり、X3=X2またはX2+1であり、n-1>X3である、請求項3に記載の装置。
【請求項５】
前記アップリンクSRSリソースは、m個の周波数領域リソースを占有し、前記SRSは、前記m個の周波数領域リソース上で周波数ホッピング方式で送信される、請求項3に記載の装置。
【請求項６】
前記ダウンリンク設定シグナリングは、前記ダウンリンク基準信号の前記時間-周波数リソースに対応する直交周波数分割多重方式OFDMシンボル位置および/または物理リソースブロックPRB位置を設定するために使用され、
前記OFDMシンボル位置は、開始シンボルインデックスおよび前記ダウンリンク基準信号によって占有されるシンボルの総数、または前記開始シンボルインデックスおよび終了シンボルインデックスを含み、
前記PRB位置は、前記ダウンリンク基準信号によって占有される、すべての伝送帯域幅上の、PRBのインデックスを含み、複数の前記PRBは、不連続的なPRBまたは連続的なPRBである、請求項3に記載の装置。
【請求項７】
前記ダウンリンク設定シグナリングは、前記アップリンクSRSリソースに対応する直交周波数分割多重方式OFDMシンボル位置および/または物理リソースブロックPRB位置を設定するために使用され、
前記OFDMシンボル位置は、開始シンボルインデックスおよび前記アップリンクSRSリソースに対応するシンボルの総数、または前記開始シンボルインデックスおよび終了シンボルインデックスを含み、
前記PRB位置は、前記アップリンクSRSリソースに対応する、すべての伝送帯域幅上の、PRBのインデックスを含み、前記SRSは、前記伝送帯域幅上で周波数ホッピング方式で送信され、複数の前記PRBは、不連続的なPRBまたは連続的なPRBであり、
前記SRSは、同一の伝送帯域幅、または各OFDMシンボルにおいて異なる伝送帯域幅を占有する、請求項3に記載の装置。
【請求項８】
データ送信方法であって、前記方法は、
端末によって、アクセスネットワークデバイスからダウンリンク基準信号を受信するステップと、
前記端末によって、複数のアップリンクプリコーディングベクトルを得るために、前記ダウンリンク基準信号を測定するステップと、
前記端末によって、複数のアップリンクSRSリソース上で前記アクセスネットワークデバイスにサウンディング基準信号SRSを送信するステップであって、異なるアップリンクSRSリソース上で送信されるSRSは、異なるアップリンクプリコーディングベクトルを使用してプリコーディングされる、ステップと、
前記端末によって、前記アクセスネットワークデバイスからアップリンクスケジューリングシグナリングを受信するステップであって、前記アップリンクスケジューリングシグナリングは、少なくとも1つのアップリンクSRSリソースのリソースインデックスを示すために使用される、ステップと、
前記端末によって、前記リソースインデックスに対応するアップリンクプリコーディングベクトルを使用してアップリンクデータをプリコーディングするステップと、前記プリコーディングされたアップリンクデータを前記アクセスネットワークデバイスに送信するステップとを含む、方法。
【請求項９】
前記アップリンクスケジューリングシグナリングは、前記アップリンクデータのために使用される時間-周波数リソースを示すためにさらに使用され、
前記時間-周波数リソースの帯域幅上で送信される前記アップリンクデータは、同一のリソースインデックスに対応するアップリンクプリコーディングベクトルを使用してプリコーディングされる、請求項8に記載の方法。
【請求項１０】
前記端末は、前記アクセスネットワークデバイスによって送信されたダウンリンク設定シグナリングを受信し、
前記ダウンリンク設定シグナリングは、前記ダウンリンク基準信号の時間-周波数リソースを設定するために使用される、または、
前記ダウンリンク設定シグナリングは、前記ダウンリンク基準信号の時間-周波数リソース、前記アップリンクSRSリソース、前記SRSのシーケンスリソース、および前記SRSのコードリソースを設定するために使用される、請求項8に記載の方法。
【請求項１１】
前記ダウンリンク設定シグナリングによって占有される時間領域リソースおよび前記ダウンリンク基準信号によって占有される時間領域リソースは、同一の時間ユニットにあり、前記時間ユニットは、タイムスロットまたはサブフレームまたは送信時間間隔であり、前記時間ユニットは、n個のOFDMシンボルを含み、
前記ダウンリンク設定シグナリングは、前記時間ユニットの第0から第X1のOFDMシンボルを占有し、
前記ダウンリンク基準信号は、前記時間ユニットの第X2から第X3のOFDMシンボルを占有し、
X1=1または2または3であり、X3=X2またはX2+1であり、n-1>X3である、請求項10に記載の方法。
【請求項１２】
前記アップリンクSRSリソースは、m個の周波数領域リソースを占有し、前記SRSは、前記m個の周波数領域リソース上で周波数ホッピング方式で送信される、請求項10に記載の方法。
【請求項１３】
前記ダウンリンク設定シグナリングは、前記ダウンリンク基準信号の前記時間-周波数リソースに対応する直交周波数分割多重方式OFDMシンボル位置および/または物理リソースブロックPRB位置を設定するために使用され、
前記OFDMシンボル位置は、開始シンボルインデックスおよび前記ダウンリンク基準信号によって占有されるシンボルの総数を含み、
前記PRB位置は、前記ダウンリンク基準信号によって占有される、すべての伝送帯域幅上の、PRBのインデックスを含み、複数の前記PRBは、不連続的なPRBである、請求項10に記載の方法。
【請求項１４】
前記ダウンリンク設定シグナリングは、前記アップリンクSRSリソースに対応する直交周波数分割多重方式OFDMシンボル位置および/または物理リソースブロックPRB位置を設定するために使用され、
前記OFDMシンボル位置は、開始シンボルインデックスおよび前記アップリンクSRSリソースに対応するシンボルの総数、または前記開始シンボルインデックスおよび終了シンボルインデックスを含み、
前記PRB位置は、前記アップリンクSRSリソースに対応する、すべての伝送帯域幅上の、PRBのインデックスを含み、前記SRSは、前記伝送帯域幅上で周波数ホッピング方式で送信され、複数の前記PRBは、不連続的なPRBまたは連続的なPRBであり、
前記SRSは、同一の伝送帯域幅、または各OFDMシンボルにおいて異なる伝送帯域幅を占有する、請求項10に記載の方法。
【請求項１５】
命令を含む、メモリと、
前記メモリと通信する、1つまたは複数のプロセッサとを備え、前記1つまたは複数のプロセッサは、請求項8から14のいずれか一項に記載の方法を行う前記命令を実行する、端末。
【手続補正２】
【補正対象書類名】明細書
【補正対象項目名】００４４
【補正方法】変更
【補正の内容】
【００４４】
第9の態様により、本願の実施形態は、端末を提供しており、端末は、プロセッサおよびメモリを含み、メモリは、1つまたは複数の命令を記憶するように構成され、命令は、プロセッサによって実行されるように命令され、プロセッサは、第1の態様または第1の態様の任意の可能な設計において提供したデータ送信方法を実施するように構成される、または、プロセッサは、第3の態様または第3の態様の任意の可能な設計において提供したシグナリング受信方法を実施するように構成される。
【手続補正３】
【補正対象書類名】明細書
【補正対象項目名】００４５
【補正方法】変更
【補正の内容】
【００４５】
第10の態様により、本願の実施形態は、アクセスネットワークデバイスを提供しており、アクセスネットワークデバイスは、プロセッサおよびメモリを含み、メモリは、1つまたは複数の命令を記憶するように構成され、命令は、プロセッサによって実行されるように命令され、プロセッサは、第2の態様または第2の態様の任意の可能な設計において提供したデータ送信方法を実施するように構成される、または、プロセッサは、第4の態様または第4の態様の任意の可能な設計において提供したシグナリング送信方法を実施するように構成される。
【手続補正４】
【補正対象書類名】明細書
【補正対象項目名】００８２
【補正方法】変更
【補正の内容】
【００８２】
加えて、メモリ33は、コンピュータ可読記憶媒体であり、スタティックランダムアクセスメモリ(SRAM)、電気的消去可能プログラマブルリードオンリーメモリ(EEPROM)、消去可能プログラマブルリードオンリーメモリ(EPROM)、プログラマブルリードオンリーメモリ(PROM)、リードオンリーメモリ(ROM)、磁気メモリ、フラッシュメモリ、または磁気ディスクもしくは光ディスクといった、任意のタイプの揮発性もしくは不揮発性ストレージデバイスまたはその組合せによって実施され得る。メモリ33は、少なくとも1つの命令を記憶する。プロセッサ31が少なくとも1つの命令を実行する場合には、以下の方法の実施形態におけるアクセスネットワークデバイス140に対応するステップが実施される。
【手続補正５】
【補正対象書類名】明細書
【補正対象項目名】０２１８
【補正方法】変更
【補正の内容】
【０２１８】
必要に応じて、第1レベルのプリコーディング行列インディケーション情報は、ダブルコードブック構造における第1レベルのプリコーディング行列W1を決定するために使用され、第2レベルのプリコーディング行列インディケーション情報は、ダブルコードブック構造における第2レベルのプリコーディング行列W2を決定するために使用される。
【手続補正６】
【補正対象書類名】明細書
【補正対象項目名】０２２５
【補正方法】変更
【補正の内容】
【０２２５】
図10に示した実施形態に基づいた随意的な実施形態においては、前述の方法は、図11に示しているように、ステップ1003をさらに含む。
【手続補正７】
【補正対象書類名】明細書
【補正対象項目名】０２４５
【補正方法】変更
【補正の内容】
【０２４５】
必要に応じて、端末は、第2レベルの制御シグナリングの第2レベルのプリコーディング行列インディケーション情報と、第2レベルの制御シグナリング前に送信された最新の第1レベルの制御シグナリングの第1レベルのプリコーディング行列インディケーション情報とを一緒に使用して、データのために使用されるプリコーディング行列(または、プリコーディングベクトル)を決定する。
【手続補正８】
【補正対象書類名】明細書
【補正対象項目名】０２５３
【補正方法】変更
【補正の内容】
【０２５３】
図13は、本願の実施形態による、データ送信装置のブロック図である。メッセージ送信装置は、専用のハードウェア回路またはソフトウェアとハードウェアとの組合せを使用して、端末全体または端末の一部として実装され得る。メッセージ送信装置は、受信ユニット1320、処理ユニット1340、および送信ユニット1360を含む。
【手続補正９】
【補正対象書類名】明細書
【補正対象項目名】０２５５
【補正方法】変更
【補正の内容】
【０２５５】
処理ユニット1340は、ステップ403、ステップ408、ステップ505、およびステップ510、ならびに端末によってデータまたは情報を処理する別の潜在的なステップにおいてその機能を実施するように構成される。
【手続補正１０】
【補正対象書類名】明細書
【補正対象項目名】０２５６
【補正方法】変更
【補正の内容】
【０２５６】
送信ユニット1360は、ステップ404、ステップ409、ステップ506、ステップ509、およびステップ511、ならびに端末によって情報を送信する別の潜在的なステップにおいて送信機能を実施するように構成される。
【手続補正１１】
【補正対象書類名】明細書
【補正対象項目名】０２６０
【補正方法】変更
【補正の内容】
【０２６０】
図14は、本願の別の実施形態による、データ受信装置のブロック図である。データ受信装置は、専用のハードウェア回路またはソフトウェアとハードウェアとの組合せを使用して、アクセスネットワーク端末全体または第1のアクセスネットワークデバイスまたはアクセスネットワーク端末の一部または第1のアクセスネットワークデバイスとして実装され得る。データ受信装置は、送信ユニット1420、処理ユニット1440、および受信ユニット1440を含む。
【国際調査報告】
2019530283.tif 000037
2019530283.tif 000038
2019530283.tif 000039
2019530283.tif 000040